(57)【要約】【課題】本発明は、各機器にエラーが発生した場合の信頼性向上を図った多重化装置を提供する。【解決手段】多重化装置１は、複数の電子機器１０、２０、各電子機器の稼働状態を表示する機器用表示部５３、６３、各電子機器が備えている機器制御部１１Ａ、２１Ａの相互間を接続するバス部７０を含む。一の電子機器１０は、他の一の電子機器２０の稼働状態を監視する他電子機器用監視部１１Ｂ、監視結果に応じて表示発光する他電子機器用表示発光源１２、各部の動作を制御する機器制御部１１Ａを備える。他電子機器用表示発光源１２の出力光を他の一の電子機器の機器用表示部５３に向けて案内伝達する他電子機器用光伝達部５２を設ける。【選択図】図１
2010009320.tif 000002
【特許請求の範囲】
【請求項１】
複数の各電子機器と、この各電子機器に装備され当該各電子機器の稼働状態を表示する機器用表示部と、前記各電子機器が備えている機器制御部の相互間を接続するバス部とを含み、このバス部を介して前記各電子機器が多重化されて成る多重化装置であって、
前記複数の電子機器の内の一の電子機器は、他の一の電子機器の稼働状態を監視する他電子機器用監視部と、この他電子機器用監視部での監視結果に応じて表示発光する他電子機器用表示発光源と、これら各部の動作を制御する機器制御部とをそれぞれ備え、
前記一の電子機器が備えている他電子機器用表示発光源の出力光を前記他の一の電子機器の機器用表示部に向けて案内伝達する他電子機器用光伝達部を、前記一の電子機器と前記他の一の電子機器との相互間に設けたことを特徴とする多重化装置。
【請求項２】
請求項１に記載の多重化装置において、
前記他の一の電子機器は、前記一の電子機器の稼働状態を監視する他電子機器用監視部と、この他電子機器用監視部での監視結果に応じて表示発光する他電子機器用表示発光源と、これら各部の動作を制御する機器制御部とを備え、
前記他の一の電子機器が備えている他電子機器用表示発光源の出力光を前記一の電子機器が備えている機器用表示部に向けて案内伝達する他電子機器用光伝達部を、前記他の一の電子機器と前記一の電子機器との相互間に設けたことを特徴とする多重化装置。
【請求項３】
請求項２に記載の多重化装置において、
前記複数の各電子機器を一方と他方の二つの電子機器で構成し、前記一の電子機器を前記一方の電子機器とし、前記他の一の電子機器を前記他方の電子機器としたことを特徴とする多重化装置。
【請求項４】
請求項３に記載の多重化装置において、
前記一方と他方の各電子機器の機器用表示部を、それぞれ前記機器用表示部としての第１表示部とこの第１表示部と同等に機能する第２表示部とにより構成し、
前記一方と他方の電子機器における各機器制御部に、前記各他電子機器用監視部での監視結果に応じて表示発光する第２の他電子機器用表示発光源を、それぞれ併設し、
前記一方の電子機器における前記第２の他電子機器用表示発光源からの出力光を前記他方の電子機器に装備された第２表示部に向けて案内し伝達する第２の他電子機器用光伝達部を設けると共に、
前記他方の電子機器における前記第２の他電子機器用表示発光源からの出力光を前記一方の電子機器に装備された第２表示部に向けて案内し伝達する第２の他電子機器用光伝達部を設けたことを特徴とする多重化装置。
【請求項５】
請求項４に記載の多重化装置において、
複数の前記電子機器を積層配置するに際しては、前記一方の電子機器における前記第１及び第２の各表示部を同層に配設すると共に、前記他方の各電子機器における前記第１及び第２の各表示部を同層に配設し、
前記一方と他方の各電子機器における各第１の表示部を同列に配設すると共に、前記一方と他方の各電子機器における各第２の表示部を同列に配設し、
前記各第２表示部に対応する前記各他電子機器用表示発光源からの出力光を伝達する前記第２の各他電子機器用光伝達部を、それぞれループ状光経路にて形成し、
前記各第１の表示部に対応する前記各他電子機器用表示発光源からの出力光を伝達する前記各他電子機器用光伝達部を、それぞれ非ループ状光経路にて形成したことを特徴とする多重化装置。
【請求項６】
請求項４に記載の多重化装置において、
前記一方と他方の電子機器の並列配置に際しては、前記一方と他方の各電子機器における前記第２の他電子機器用表示発光源と前記第２の表示部とをそれぞれ隣接して配置すると共に、前記一方と他方の各電子機器における前記第１の他電子機器用表示発光源と前記第１の表示部とをそれぞれ相互に離れた位置に配設し、
前記一方と他方の各電子機器における前記第２の表示部に前記第２の他電子機器用表示発光源からの出力光を伝達する他電子機器用光伝達部を、それぞれ非ループ状光経路にて形成すると共に、
前記一方と他方の各電子機器における前記第１の表示部に前記各他電子機器用表示発光源からの出力光を伝達する前記他電子機器用光伝達部を、それぞれループ状光経路により形成したことを特徴とする多重化装置。
【請求項７】
請求項４に記載の多重化装置において、
前記一方と他方の電子機器の積層配置に際しては、前記一方の電子機器における前記第１の表示部および前記他方の電子機器における前記第１の表示部を、それぞれ前記電子機器の積層方向と交差する方向の一方の側部分に配設し、
前記各表示部に対応して前記各他電子機器用光伝達部を配設したことを特徴とする多重化装置。
【請求項８】
請求項４に記載の多重化装置において、
前記一方と他方の電子機器の積層配置に際しては、前記他方の電子機器における第１の表示部が当該他方の電子機器における積層方向の外端部に配設され、前記一方の電子機器における第１の表示部が当該一方の電子機器における積層方向の外端部に配設され、
前記各表示部に対応して前記各他電子機器用光伝達部を配設したことを特徴とする多重化装置。
【請求項９】
請求項１乃至８の内のいずれか一項に記載の多重化装置において、
前記各他電子機器用光伝達部は、一又は複数のプリズム状ミラーを含んで構成されていることを特徴とする多重化装置。
【請求項１０】
請求項１乃至８の内のいずれか一項に記載の多重化装置において、
前記各他電子機器用光伝達部は、その一部に光ファイバーを含むことを特徴とした多重化装置。
【請求項１１】
一方と他方からなる複数の電子機器と前記各電子機器に対応して設けられ前記各電子機器の稼働状態を各々表示する各表示部と前記各電子機器が備えている各機器制御部相互間を接続するバス部とを含むと共に当該バス部により前記各電子機器を多重化してなる多重化装置における、前記各電子機器の停止有無の稼働状態を表示するための多重化装置用稼働状態表示方法であって、
前記複数の機器の内の一方の電子機器における機器制御部が前記他方の電子機器における機器制御部を監視し、
続いて、前記一方の電子機器における機器制御部が前記他方の電子機器における機器制御部の停止を検出した場合に前記一方の電子機器が備えている他電子機器用表示発光源から所定の表示用光信号を出力し、
しかる後、前記一方の電子機器における前記他電子機器表示発光源からの表示用光信号を光伝達部を介して前記他方の電子機器に対応する前記表示部に向けて案内伝達することを特徴とした多重化装置用稼働状態表示方法。
【請求項１２】
一方と他方からなる複数の電子機器と、前記各電子機器に対応して設けられ当該各電子機器の稼働状態を各々個別に表示する表示部と、前記各電子機器が備えている各機器制御部相互間を接続するバス部とを備え、且つ前記バス部により前記各電子機器が多重化されてなる多重化装置に、予め装備された制御用のコンピュータに対して、諸機能の実現を設定する稼働状態表示用制御プログラムであって、
前記一方と他方からなる複数の電子機器のうち一方の電子機器における機器制御部が前記他方の電子機器における機器制御部を監視する監視機能と、前記一方の電子機器の機器制御部が前記他方の電子機器の機器制御部の停止を検出すると直ちに作動して前記一方の電子機器に予め装備された他電子機器用表示発光源から所定の光信号を出力させる光出力制御機能と、を前記コンピュータに実現させ、
これにより、前記一方の電子機器における前記他方の電子機器用表示発光源からの光を光伝達部を介して前記他方の電子機器に対応する表示部に向けて案内伝達させるようにしたことを特徴とする稼働状態表示用制御プログラム。
【発明の詳細な説明】
【技術分野】
【０００１】
本発明は、電子機器にかかる多重化装置に関し、特に、ストレージ、サーバ等の電子機器の増設を意図してなされる多重化装置、多重化装置用稼働状態表示方法、及び稼働状態表示用制御プログラムに関する。
【背景技術】
【０００２】
複数のストレージ等の電子機器を多重化してなる多重化装置の関連技術の例として、例えば特許文献１などが挙げられる。
この特許文献１における多重化装置では、複数のディスク装置を備えたＲＡＩＤ（Ｒedundant  Ａrrays  of  Ｉnexpensive  Ｄisks）構成の例が示されている。ＲＡＩＤは、ホスト計算機と同一の筐体に格納したり、ホスト計算機とは別のディスク筐体に格納したりして構成されている。
【０００３】
このＲＡＩＤは、故障したディスク装置を交換するに際しては、ホスト計算機やＲＡＩＤ装置の電源を切らずに交換する活線挿抜を行うことが多い。このため、ディスク筐体には、故障したディスク装置はどれか、ＲＡＩＤとして組み込まれているディスク装置はどれか、などをオペレータに視角的に知らせるためのＬＥＤ等による表示手段、或いはオペレータにより故障ディスク装置が抜かれた場合に新しいディスク装置が挿入されたことを検出するための手段が設けられている。
【０００４】
また、ディスク筐体の故障は多くの場合、ＲＡＩＤシステムそのものの停止につながるので、これを避けるため、筐体内部の電源や冷却用のファン（ｆａｎ）などが故障したことを検出する手段や、筐体内部の温度を監視する手段等が設けられている。
【０００５】
更にこの特許文献１では、ホストに搭載したＲＡＩＤ制御手段に筐体管理手段が設けられ、更にディスク筐体には筐体管理手段とディスク抑止手段が設けられ、ＲＡＩＤ制御手段とディスク筐体とディスク装置とのデータ転送のためのディスクＩ／Ｆバスとは筐体管理バスで接続し、ディスク抑止手段でディスク筐体内のディスク装置を部分的に抑止しながら搭載されているディスク装置を特定してその固有なＩＤをディスク筐体に登録することで、以後は当該固有ＩＤでディスク装置毎のＬＥＤ（表示手段）を点灯制御する構成が開示されている。
【０００６】
又、上記表示手段は、故障したディスク装置を識別できるようにしたり、ＲＡＩＤを構築するために使用されているディスク装置を識別できるようにしたり、ディスク装置の故障によって失ったデータを再現している途中であることを識別できるようにしたり、電源や、ファン、温度等、ディスク筐体体内部に異常が発生していることを識別できるようにするもので、多くは、ＬＥＤ等の素子により実現し、筐体管理手段が表示手段を制御するように構成されている。
【特許文献１】特開平９−３３０１８４号公報
【発明の開示】
【発明が解決しようとする課題】
【０００７】
ところで、上述した多重化装置ににおける表示機構では、多重化を構成する一の機器において部品故障が発生した場合に故障側の一の機器に対応するランプ等でエラー表示を試みるように構成されている。このため、故障側の一の機器における電気回路が全く動作しない状況にあっては、当該故障側機器がフリーズし、故障側のランプ表示は必ずしも正しくなく、「正常動作」表示のままフリーズしている場合が時には発生する。同時に、故障状態にあるにもかかわらず「正常動作」を表示し、表示機構のランプ表示が信頼できないという事態が生じる。
【０００８】
このような、前記ランプ表示に異変が発生すると、多重化装置を構成する一の電子機器に対応する一のランプと他の電子機器に対応する他のランプとの双方が、「正常動作」を表示し、故障箇所の特定ができないという不都合があった。
また、故障箇所が特定できないため、故障部品を交換する際には、他の機器の正常動作中の部品までも停止させ、システム全体を停止させなければ成らない場合も時には生じていた。
【０００９】
本発明の目的は、上述した関連技術の不都合を改善することにあり、多重化装置における各機器にエラーが発生した場合にそのエラー表示を有効に且つ確実に成し得ると共にこれにより当該各機器のエラー表示に際しての信頼性向上を図った多重化装置、多重化装置用稼働状態表示方法、及び稼働状態表示制御プログラムを提供することにある。
【課題を解決するための手段】
【００１０】
上記目的を達成するため、本発明にかかる多重化装置では、複数の各電子機器と、この各電子機器に装備され当該各電子機器の稼働状態を表示する機器用表示部と、前記各電子機器が備えている機器制御部の相互間を接続するバス部とを含み、このバス部を介して前記各電子機器が多重化されて成る多重化装置であって、前記複数の電子機器の内の一の電子機器は、他の一の電子機器の稼働状態を監視する他電子機器用監視部と、この他電子機器用監視部での監視結果に応じて表示発光する他電子機器用表示発光源と、これら各部の動作を制御する機器制御部とをそれぞれ備え、前記一の電子機器が備えている他電子機器用表示発光源の出力光を前記他の一の電子機器の機器用表示部に向けて案内伝達する他電子機器用光伝達部を、前記一の電子機器と前記他の一の電子機器との相互間に設けたことを特徴としている。
【００１１】
又、上記目的を達成するため、本発明にかかる多重化装置用稼働状態表示方法は、一方と他方からなる複数の電子機器と前記各電子機器に対応して設けられ前記各電子機器の稼働状態を各々表示する各表示部と前記各電子機器が備えている各機器制御部相互間を接続するバス部とを含むと共に当該バス部により前記各電子機器を多重化してなる多重化装置における、前記各電子機器の停止有無の稼働状態を表示するための多重化装置用稼働状態表示方法であって、前記複数の機器の内の一方の電子機器における機器制御部が前記他方の電子機器における機器制御部を監視し、続いて、前記一方の電子機器における機器制御部が前記他方の電子機器における機器制御部の停止を検出した場合に前記一方の電子機器が備えている他電子機器用表示発光源から所定の表示用光信号を出力し、しかる後、前記一方の電子機器における前記他電子機器表示発光源からの表示用光信号を光伝達部を介して前記他方の電子機器に対応する前記表示部に向けて案内伝達する、という手順を採っていることを特徴とする。
【００１２】
更に、上記目的を達成するため、本発明にかかる稼働状態表示用制御プログラムでは、一方と他方からなる複数の電子機器と、前記各電子機器に対応して設けられ当該各電子機器の稼働状態を各々個別に表示する表示部と、前記各電子機器が備えている各機器制御部相互間を接続するバス部とを備え、且つ前記バス部により前記各電子機器が多重化されてなる多重化装置に、予め装備された制御用のコンピュータに対して、諸機能の実現を設定する稼働状態表示用制御プログラムであって、前述した一方と他方からなる複数の電子機器のうち一方の電子機器における機器制御部が前記他方の電子機器における機器制御部を監視する監視機能と、前記一方の電子機器の機器制御部が前記他方の電子機器の機器制御部の停止を検出すると直ちに作動して前記一方の電子機器に予め装備された他電子機器用表示発光源から所定の光信号を出力させる光出力制御機能と、を前記コンピュータに実現させ、これにより、前記一方の電子機器における前記他方の電子機器用表示発光源からの光を光伝達部を介して前記他方の電子機器に対応する表示部に向けて案内伝達させるようにしたことを特徴としている。
【発明の効果】
【００１３】
本発明によれば、一方の電子機器における故障停止が発生しても他方の電子機器がこれを検知して前記一方の電子機器の表示部を駆動表示するようにしたので、多重化装置における各電子機器のエラー表示等に際しては当該表示における信頼性が著しく向上し、各電子機器の内の故障箇所などの正確な特定ができるという従来にない優れた多重化装置、多重化装置用状態表示方法、及び状態表示制御プログラムを提供することができる。
【発明を実施するための最良の形態】
【００１４】
〔第１の実施の形態〕
（基本的構成）
先ず、本第１実施形態における多重化装置の基本的構成を図１乃至図２に基づいて説明する。
この実施形態における多重化装置１は、複数の電子機器１０，２０と、この各電子機器１０，２０に装備され当該各電子機器１０，２０の稼働状態を表示する機器用表示部６３，５３と、前記各電子機器１０，２０が備えている機器制御部１１Ａ，２１Ａの相互間を接続するシステムバス等のバス部７０とを備え、このバス部７０を介して前記各電子機器１０，２０が多重化された構成となっている。
【００１５】
この複数の電子機器１０，２０の内の一の電子機器１０は、他の一の電子機器２０の稼働状態を監視する他電子機器用監視部（第２機器用監視部）１１Ｂと、この他電子機器用監視部１１Ｂでの監視結果に応じて表示発光する他電子機器用表示発光源（第２機器用異常表示灯）１２と、これら各部の動作を制御する機器制御部（第１機器制御部）１１Ａとを、それぞれ備えている。
【００１６】
そして、図２に示すように、前述した一の電子機器１０と他の一の電子機器２０との相互間には、前記一の電子機器１０が備えている他電子機器用表示発光源（第２機器用異常表示灯）１２の出力光を他の一の電子機器２０の第２機器用表示部５３に向けて案内伝達する他電子機器用光伝達部（第２機器用光伝達部）５２が装備されている。
【００１７】
又、前述した複数の電子機器１０，２０の内の他の一の電子機器２０は、前記一の電子機器１０の稼働状態を監視する他電子器用監視部（第１機器用監視部）２１Ｂと、この他電子器用監視部２１Ｂでの監視結果に応じて表示発光する他電子器用表示発光源（第１機器用異常表示灯）２２と、これら各部の動作を制御する機器制御部（第２機器制御部）２１Ａとを備えている。
そして、図４に示すように、前述した他の一の電子機器２０が備えている他電子器用表示発光源（第１機器用異常表示灯）２２の出力光を前記一の電子機器１０が備えている第１機器用表示部６３に向けて案内伝達する他電子機器用光伝達部（第１機器用光伝達部）６２が、前記他方の電子機器２０と前記一方の電子機器１０との相互間に設けられている。
【００１８】
ここで、上述した基本的構成は、二以上の複数の電子機器を前提としてその内の対応関係にある二つの電子機器について説明したが、この複数の電子機器を一方と他方の二つの電子機器で構成し、前記一の電子機器を前記一方の電子機器（又は第１の電子機器）１０とし、前記他の一の電子機器を前記他方の電子機器（又は第２の電子機器）２０としてもよい。
【００１９】
そして、このような場合、本第１実施形態にあって、第２機器制御部２１Ａの停止を第１機器制御部１１Ａの第２機器用監視部１１Ｂで検知した場合、一方の電子機器１０と他方の電子機器２０とを光接続する第２機器用光伝達部５２を介して、他方（第２）の電子機器２０側の第２機器用表示部５３にＬＥＤ等のランプ点灯（若しくは点滅）が成され、当該他方の電子機器（第２の電子機器）２０が故障で動作不能となっているにもかかわらず、当該他方の電子機器（第２の電子機器）２０側のパネル面（表示面）に正確に故障表示される。
【００２０】
これにより、本実施形態の多重化装置にあっては、多重化装置（冗長化装置）における部品故障時の故障表示をより正確に行い、故障切り分けを短時間に且つ正確に行うことが可能となり、かかる点において上記多重化装置の信頼性が向上し、同時に故障切り分けの迅速処理が可能となることから稼働率をより一層向上させることができる。
【００２１】
この場合、前述した機器用光伝達部５２，６２として、プリズム状ミラーによる光接続やループ状光経路による光接続などを組み合わせることにより、表示信頼性の向上を図りながら補修部品の一元化が可能となる。
【００２２】
以下、これを更に具体的に説明する。
図１乃至図４において、本実施の形態の多重化装置１は、上下方向に積層され下方側に配置された一方の電子機器１０（第１の電子機器：ＯＢＪＥＣＴ  Ａ）と、上方側に配置された他方の電子機器２０（第２の電子機器：ＯＢＪＥＣＴ  Ｂ）とを備えている。また、この多重化装置１は、一方の電子機器１０と同層に設けられ当該一方の電子機器１０の状態を表示する第１機器用表示部６３（第１異常表示部：ＦＡＵＬＴ  Ａ）と、他方の電子機器２０と同層に設けられ当該他方の電子機器２０の状態を表示する第２機器用表示部５３（第２異常表示部：ＦＡＵＬＴ  Ｂ）とを備えている。
【００２３】
更に、この多重化装置１は、前述したように、一方の電子機器１０内に装備され当該一方の電子機器１０内の第２機器用監視部１１Ｂ及び他電子器用表示発光源（第２機器用異常表示灯）１２の動作を制御する第１機器制御部１１Ａと、前述した他方の電子機器２０内に装備され当該他方の電子機器２０内の第１機器用監視部２１Ｂ及び他電子器用表示発光源（第１機器用異常表示灯）２２の動作を制御する第２機器制御部２１Ａと、これら各機器制御部１１Ａ，２１Ａの相互間を接続しこれにより前記一方と他方の各電子機器１０，２０の多重化（又は冗長化）を可能としたバス部７０とを備えている。
【００２４】
この多重化装置１では、一方の電子機器１０及び他方の電子機器２０をバス部７０に接続することにより、この一方と他方の電子機器１０，２０を多重化（又は冗長化）した状態に構成した。そして、多重化装置（又は冗長化装置）１においては、一方の電子機器１０の状態を当該一方の電子機器１０と同層に配置された第１機器用表示部６３に表示し、他方の電子機器２０の状態を当該他方の電子機器２０と同層に配置された第２機器用表示部５３に表示するようにした。
【００２５】
一方の電子機器（第１の電子機器）１０は、自機器の第１機器制御部１１Ａに、他方の電子機器（第２の電子機器）２０の第２機器制御部２１Ａの状態を監視する他電子機器用監視部（第２機器用監視部）１１Ｂと、この第２機器用監視部１１Ｂでの監視結果に応じて表示発光する第２機器用表示発光源（第２機器用異常表示灯）１２とを備えて構成されている。
【００２６】
又、前述したように、他方の電子機器（第２の電子機器）２０は、自機器の第２機器制御部２１Ａに、前記一方の電子機器（第１の電子機器）１０の第１機器制御部１１Ａの状態を監視する他電子機器用監視部（第１機器用監視部）２１Ｂと、この第１機器用監視部２１Ｂでの監視結果に応じて表示発光する第１機器用表示発光源（第１機器用異常表示灯）２２とを備えて構成されている。
【００２７】
ここで、図１は他方の電子機器２０における第２制御部２１Ａが故障した際に右上から見た概念図であり、図２は上記図１の状態における右側面から見た概略構成図である。又、図３は一方の電子機器１０における第１機器制御部１１Ａが故障した際に右上から見た概念図であり、図４は上記図３の状態における右側面から見た概略構成図である。
この図１及び図３においては、光経路を見やすくするために、「ＦＡＵＬＴ  Ａ」、「ＦＡＵＬＴ  Ｂ」の部分を、左右分離して図示している。左右分離しない場合には、例えば図５に示すようになる。
【００２８】
そして、多重化装置（又は冗長化装置）１は、図１及び図２に示すように、一方の電子機器１０における第２機器用異常表示灯１２（第２機器用表示発光源）からの光Ｓ１を他方の電子機器２０に対応する第２機器用表示部５３に向けて案内伝達する第２機器用光伝達部５２を備えている。ここで、異常表示灯は故障表示灯としてもよい。
【００２９】
更に、多重化装置（又は冗長化装置）１には、図３及び図４に示すように、他方の電子機器２０における第１機器用異常表示灯２２（第１機器用表示発光源）からの光Ｓ２を一方の電子機器１０に対応する第１機器用表示部６３に向けて案内伝達する第１機器用光伝達部６２を更に備えている。
【００３０】
ここで、一方の電子機器１０は、第１機器制御部１１Ａのほか、第１機器制御部１１にて制御される図示しない制御対象、及びその他の各部を含んでいてもよい。また、他方の電子機器２０は、第２機器制御部２１Ａのほか、第２機器制御部２１Ａにて制御される図示しない制御対象、及びその他の各部を含んでよい。
【００３１】
又、前述した第２機器用光伝達部５２は、図２に示すように、第１の右プリズム状ミラー部５２ａと第１の右プリズム状ミラー部５２ｂとを含んで構成される。プリズム状ミラー部は、プリズム（光伝達部材）の一面がミラー（光反射部）として機能するものを用いることができる。光反射部としては、プリズム状ミラーに限らず、種々の反射部材（ミラー）を用いることができる。
【００３２】
同様に、前述した第１機器用光伝達部６２は、図４に示すように、第１の左プリズム状ミラー部６２ａと第２の左プリズム状ミラー部６２ｂとを含んで構成される。
そして、図１〜図２に示すように、第２機器用異常表示灯１２からの光Ｓ１（右光経路）は、第１の右プリズム状ミラー部５２ａにて反射された後、さらに第２の右プリズム状ミラー部５２ｂにて反射され、第２機器用表示部５３（ＦＡＵＬＴ  Ｂ）に至る。
【００３３】
又、図３〜図４に示すように、第１機器用異常表示灯２２からの光Ｓ２（左光経路）は、第１の左プリズム状ミラー部６２ａにて反射された後、さらに第２の左プリズム状ミラー部６２ｂにて反射され、第１機器用表示部６３（ＦＡＵＬＴ  Ａ）に至る。
【００３４】
（動作の説明）
次に、上述した多重化装置１の動作を、図１乃至図８に基づいて説明する。
【００３５】
先ず、一方の電子機器（第１の電子機器）１０における他電子機器用監視部（第２機器用監視部）１１Ｂは、バス部等のバス部７０を経由して他方の電子機器（第２の電子機器）２０における第２機器制御部２１Ａの稼働状態を、常時監視している（図６：ステップＳ１０１）。
【００３６】
そして、この第２機器用監視部１１Ｂが、バス部７０を介して第２機器制御部２１Ａの停止を検知すると、前述した第１機器制御部１１Ａは、直ちに前述した第２機器用異常表示灯１２を起動して、その出力光の点灯（若しくは点滅）動作制御を行う（図６：ステップＳ１０２）。
【００３７】
続いて、一方の電子機器１０の第２機器用異常表示灯１２から発せられた光Ｓ１は、図１，図２の矢印で示す光経路に沿って進行し、第１の右プリズム状ミラー部５２ａ及び第２の右プリズム状ミラー部５２ｂを経由して他方の電子機器２０側の第２機器用表示部５３（ＦＡＵＬＴ  Ｂ）から外部に向けて点灯出力される（図６：ステップＳ１０２）。
【００３８】
又、他方の電子機器２０における他電子機器用監視部（第１機器用監視部）２１Ｂは、バス部等のバス部７０を経由して一方の電子機器（第１の電子機器）１０における第１制御部１１Ａの稼働状態を常時監視している（図６：ステップＳ１０４）。
【００３９】
そして、この第１機器用監視部２１Ｂが、バス部７０を介して第１制御部１１Ａが停止したことを検知すると、前述した第２機器制御部２１Ａは、直ちに前述した第１機器用異常表示灯２２を起動して、その出力光の点灯（若しくは点滅）動作制御を行う（図６：ステップＳ１０５）。
【００４０】
続いて、他方の電子機器２０の第１機器用異常表示灯２２から発せられた光Ｓ２は、図３，図４の矢印で示す光経路に沿って進行し、左光経路の如く進行し、第１の左プリズム状ミラー部６２ａおよび第２の左プリズム状ミラー部６２ｂを経由して一方の電子機器１０側の第１機器用表示部６３（ＦＡＵＬＴ  Ａ）から外部に向けて点灯出力される（図６：ステップＳ１０５）。
【００４１】
ここで、本第１実施形態では、一方の電子機器１０がストールしていても、他方の電子機器２０から一方の電子機器１０側の第１機器用異常表示灯をバス部７０を用いることなく点灯（若しくは点滅）させることが可能に構成されている。
逆に、他方の電子機器２０がストールしていた場合にあっても、一方の電子機器１０から他方の電子機器２０側の第２機器用異常表示灯をバス部７０を用いることなく点灯（若しくは点滅）させることが可能に構成されている。
【００４２】
以下、これを更に詳述する。
（全体の動作）
図６において、まず、一方の電子機器１０の第１機器制御部１１Ａは、第２機器用監視部１１Ｂを介して他方の電子機器２０の第２機器制御部２１Ａの稼働状態を監視し、当該第２機器制御部２１Ａが停止したか否かを監視する（ステップＳ１０１：第２機器状態監視ステップ，第２機器状態監視機能）。
【００４３】
このステップＳ１０１の第２機器状態監視ステップにおいて、第２機器用監視部１１Ｂが第２機器制御部２１Ａの停止を検出しない場合には、当該第２機器用監視部１１Ｂは第２機器用異常表示灯（第２機器用表示発光源）の動作の停止状態を維持する（ステップＳ１０３：第２機器用表示発光源の光出力停止ステップ、第２機器用光出力停止制御機能）。
この場合、第１機器制御部１１Ａは第２機器用異常表示灯（第２機器用表示発光源）の動作制御に際しては、例えば緑色点灯など表示色が変更するように制御を行ってもよい（第２機器用発光色変更制御ステップ，第２機器用発光色変更制御機能）。
【００４４】
前記ステップＳ１０１の第２機器用状態監視ステップＳ１０１において、第１機器用監視部１１Ｂが、第２機器制御部２１Ａの停止状態を検出した場合には、前記第１の電子機器における第１機器制御部１１Ａは、第２機器用監視部１１Ｂを介して第２機器用異常表示灯（第２機器用表示発光源）１２を稼働させ、異常（故障）である旨の光を出力する（第２機器用表示光出力ステップ，第２機器用表示光出力制御機能）。
【００４５】
続いて、第２機器用異常表示灯（第２機器用表示発光源）１２から光が出力されると、当該出力光を第２機器用光伝達部５２を介して他方の電子機器２０に対応する第２機器用表示部５３に向けて案内伝達し、これにより第２機器用表示部５３から所定の光が出力され、他方の電子機器２０に異常が発生したことが外部に表示される（ステップＳ１０２：第２機器用光伝達ステップ，第２機器用光伝達機能）。
【００４６】
次に、他方の電子機器２０の第１機器用監視部２１Ｂが前述した一方の電子機器１０の第１機器制御部１１Ａの稼働状態を監視し、他方の電子機器２０における第２機器制御部２１Ａにて、前述した一方の電子機器における第１機器制御部１１Ａが稼働停止したか否かを監視する（ステップＳ１０４：第１機器状態監視ステップ，第１機器状態監視機能）。即ち、他方の電子機器２０から前記一方の電子機器１０の第１機器制御部が稼働停止したか否か監視する。
【００４７】
このステップＳ１０４の一方の電子機器状態監視ステップにおいて、他方の電子機器２０の第１機器用監視部２１Ｂが第１機器制御部１１Ａの稼働停止を検出しない場合には、当該第１機器用監視部２１Ｂは第１機器用異常表示灯（第１機器用表示発光源）２２の動作停止状態を維持する（ステップＳ１０６：第１機器用光出力停止ステップ、第１機器用光出力停止制御機能）。
【００４８】
この場合、第２機器制御部２１Ａは第１機器用異常表示灯（第１機器用表示発光源）２２の動作制御に際しては、例えば緑色点灯など表示色が変更するように制御を行ってもよい（第２機器用発光色変更制御ステップ，第２機器用発光色変更制御機能）。
【００４９】
或いは、第２制御監視部が第１異常表示灯（第１の第１機器用表示発光源）２２の動作において、例えば緑色点灯など表示色が変更する制御を行ってもよい（第１機器用表示発光色変更制御ステップ，第１機器用表示発光色変更制御機能）。
【００５０】
一方、前記ステップＳ１０４の第１機器用状態監視ステップにおいて、第１機器用監視部２１Ｂが、第１機器制御部１１Ａの停止状態を検出した場合には、前記第２の電子機器２０における第２機器制御部２１Ａは、第２機器用監視部２１Ｂを介して第１機器用異常表示灯（第２機器用表示発光源）２２を稼働させ、異常（故障）である旨の光を出力する（第１機器用表示光出力ステップ，第１機器用表示光出力制御機能）。この場合、例えば、第１機器用異常表示灯（第２機器用表示発光源）２２が点灯又は点滅の動作を行うように前記第１機器用監視部２１Ｂによって制御される。
【００５１】
続いて、第１機器用異常表示灯（第２機器用表示発光源）２２から光が出力されると、当該出力光は第１機器用光伝達部を介して、一方の電子機器１０に対応する第１機器用表示部６３に向けて案内伝達され、これにより、第１機器用表示部６３から一方の電子機器１０側から光が外部に向けて出力表示される（ステップＳ１０５：第１機器用光伝達ステップ，第１機器用光伝達機能）。
【００５２】
このように、上記第１の実施形態にあっては、二重化構成の多重化装置１における各電子機器１０，２０の機器用監視部が、それぞれ正常な一方の電子機器１又は２が隣接する他の電子機器２又は１を常時監視し、異常状態の発生に際しては正常な電子機器側でこれを捕捉して異常な電子機器の表示部に当該電子機器が異常である旨、点灯表示するように構成した。
【００５３】
このため、多重化装置（冗長化装置）１における部品故障時の故障表示がより正確に行われることとなり、故障切り分けを短時間に且つ正確に行うことが可能となり、かかる点において上記多重化装置１の信頼性が向上し、同時に故障切り分けの迅速処理が可能となることから稼働率をより一層向上させることができる。
【００５４】
この場合、前述した機器用光伝達部５２，６２として、プリズム状ミラーによる光接続やループ状光経路による光接続などを組み合わせることにより、表示信頼性の向上を図りながら且つ補修部品の一元化が可能となり、更に、三重化以上の構成にも対応可能となり、各部品以外の箇所でランプなどによる故障表示をさせることも可能となるという利点がある。
【００５５】
図７乃至図８には、上述した一方と他方の各の電子機器１，２における第１機器制御部１１Ａ又は第２機器制御部２１Ａの個別動作のフローチャートを示す。この各動作の内容は、前述した全体の動作説明（図６参照）に開示した内容と同一となっている。
一方、この場合、上述した第１実施例では、第１機器制御部１１Ａの動作後に第２機器制御部２１Ａの動作が実行される構成としたが、ここでは、例えば第１機器制御部１１Ａと第２機器制御部２１Ａとを個別に、そしてほぼ同時に作動させてもよい。
このようにすると、相互チェックの時間を短縮することができ、保守に際しての作業能率の向上を図ることができ、全体的な作業能率を著しく改善することができるという利点がある。
【００５６】
以上のように、本第１実施形態によると、多重化装置における安定した動作状態表示を得ることができ、多重化装置において故障箇所切り分け時間の短縮化を図ることができ、更に、多重化装置において作業ミス防止効果によるシステム全体の安定動作を実現することが可能となる。
【００５７】
又、多重化装置１にあって、正常な電子機器側からバス部７０を介する電気的信号により故障側にランプ表示させる状態表示システムと比較すると、システムバス等のバス部７０の構成が小さくなり信頼性向上の効果も期待できる。
【００５８】
ここで、前述した動作説明における各ステップについては、その実行内容をコンピュータによる処理可能にプログラム化し、このソフトウエアプログラム（制御プログラム）を各電子機器が有するコンピュータに実行させるように構成するようにしてもよい。
さらには、システム全体の処理にあっては、各電子機器を多重化するための多重化装置を制御する多重化装置制御ソフトウエア（ＯＳ）が前記プログラムを実行する場合であってもよい。あるいは、別途全体制御用コンピュータにより実行する場合であってもよい。
【００５９】
［第２の実施形態］
次に、本発明にかかる第２の実施の形態を、図９乃至図１１に基づいて説明する。
ここで、前述した第１の実施形態の場合と同一の構成については同一の符号を用いるものとする。
【００６０】
本第２の実施形態における多重化装置１００では、図９に示すように、第１の電子機器（一方の電子機器）１１０側に、複数の表示部、即ち、第１機器用異常表示部１６３と、第１自己監視異常表示部１６４と、第１メジャーエラー表示部１６５と、第１マイナーエラー表示部１６６と、第１実行表示部１６７と、第１動作可表示部１６８と、が設けられて構成されている。
【００６１】
また、上記多重化装置１００では、図９に示すように、第２の電子機器（他方の電子機器）１２０側にも、前述した第１の電子機器（一方の電子機器）１１０側と同等の、第２異常表示部１５３と、第２自己監視異常表示部１５４と、第２メジャーエラー表示部１５５と、第２マイナーエラー表示部１５６と、第２実行表示部１５７と、第２動作可表示部１５８と、が設けられている。
【００６２】
このような図９に示す多重化装置１００において、各表示部と前述した第１実施形態における各構成要素とを組み合わせることにより、次のように、更に細かい状態表示を行うことが可能となる。
【００６３】
即ち、この図９に示す多重化装置１００では、図１１に示すように、第１の電子機器１１０には、前述した第１実施形態の場合と同様に第２の電子機器１２０の稼働状態を監視すると共に前述した各表示部の表示動作を個別に駆動する第２機器用監視部１１１Ｂと、この第２機器用監視部１１１Ｂの動作を制御する第１機器制御部１１１Ａとを備えている。
【００６４】
そして、この第２機器用監視部１１１Ｂは、第１機器制御部１１１Ａに付勢されて作動し、第２機器用異常表示灯１１２と、第１自己監視異常表示灯１１４と、第１メジャーエラー表示灯１１５と、第１マイナーエラー表示灯１１６と、第１実行表示灯１１７と、第１動作可表示灯１１８とをそれぞれ点灯（若しくは点滅）駆動することで、第２異常表示部１５３（ＦＡＵＬＴ  Ｂ）と、第１自己監視異常表示部１６４と、第１メジャーエラー表示部１６５と、第１マイナーエラー表示部１６６と、第１実行表示部１６７と、第１動作可表示部１６８との各部の表示が実行されるようになっている。
【００６５】
ここで、上記第２機器用監視部１１１Ｂは、第１機器制御部１１１Ａに付勢されて本第２実施形態では各表示灯の点灯（若しくは点滅）制御を一括して行う構成したが、或いは各部の点灯（若しくは点滅）制御を各々独立して行うように構成してもよい。
【００６６】
又、上記多重化装置１００では、図１０に示すように、第２の電子機器１２０には、前述した第１実施形態の場合と同様に第１の電子機器１１０の稼働状態を監視すると共に、前述した各表示部の表示動作を個別に駆動する第１機器用監視部１２１Ｂと、この第１機器用監視部１２１Ｂの動作を制御する第２機器制御部１２１Ａとを備えている。
【００６７】
そして、上記第１機器用監視部１２１Ｂが、第２機器制御部１２１Ａに付勢されて作動し、第１機器用異常表示灯１２２と、第２自己監視異常表示灯１２４と、第２メジャーエラー表示灯１２５と、第２マイナーエラー表示灯１２６と、第２実行表示灯１２７と、第２動作可表示灯１２８とをそれぞれ点灯（若しくは点滅）駆動することで、第１異常表示部１６３（ＦＡＵＬＴ  Ａ）と、第２自己監視異常表示部１５４と、第２メジャーエラー表示部１５５と、第２マイナーエラー表示部１５６と、第２実行表示部１５７と、第２動作可表示部１５８との各部の表示が実行されるようになっている。
【００６８】
ここで、上記第１機器用監視部１２１Ｂは、本第２実施形態では各部の点灯（若しくは点滅）制御を一括して行う構成したが、或いは各部の点灯（若しくは点滅）制御を各々独立して行うように構成してもよい。
【００６９】
さらに、前述した第１実施形態と同様に、上記多重化装置１００では、第１の電子機器１１０の故障をバス部１７０経由で検出した第２の電子機器１２０側の第２機器制御部１２１Ａは、機器用監視部１２１Ｂを介して第１機器用異常表示灯１２２を点灯（若しくは点滅）制御する。
続いて、上記第１機器用異常表示灯１２２が発した光は、図示しない左プリズム状ミラーを経由して第１機器用異常表示部１６３から出力される。
【００７０】
また、上記多重化装置１００では、第２の電子機器１２０の故障をバス部１７０経由で検出した第１の電子機器１１０側の第１機器制御部１１１Ａは、第２機器用監視部１１１Ｂを介して第２機器用異常表示灯１１２を点灯（若しくは点滅）制御する。
続いて、前記第２機器用異常表示灯１１２が発した光は、図示しない右プリズム状ミラーを経由して第２異常表示部１５３から出力される。
【００７１】
その他の構成およびその動作は前述した第１実施形態と同様になっている。
本第２の実施形態は上述したように構成され動作するので、これによると、前述した第１実施形態の場合と同様の作用効果を奏しながらも、更に細かい状態表示を行うこともできるという利点がある。
【００７２】
ここで、上述した各構成の動作内容及び各機能を、コンピュータが実行可能な内容にプログラム化し、これをコンピュータに実行させるように構成してもよい。
【００７３】
[第３の実施形態］
次に、本発明にかかる多重化装置の第３の実施形態を図１２に基づいて説明する。
ここで、図１２は、本第３実施の形態における多重化装置の全体を示す概略構成を模式的に示す斜視図である。
【００７４】
前述した第１実施の形態（図１〜図２参照）では、ランプ表示部分を各電子機器の前面側に設置する構成としたが、図１２に示す本第３の実施形態では、ランプ表示部分を各電子機器２１０，２２０の側面に延設して設置した構成となっている。
即ち、第１，第２の複数の電子機器２１０，２２０の積層配置に際しては、前記第１，第２の各機器用表示部２６３，２５３が、前記電子機器２１０，２２０の積層方向と交差する方向の一側部に延設された位置で且つ正面に向けて設置されている。この場合、前記各光伝達部が、この配置状態に応じて構成されるようになっている。
【００７５】
図１２は、下側に位置する第１の電子機器２１０が故障した際に、その右上から見た図である。
この第３の実施形態における多重化装置２００は、図１２に示すように、第１の電子機器２１０と、第２機器用異常表示灯２１２と、光伝達部を構成するプリズム状ミラー部２５２ａ，２５２ｂと、第２機器用異常表示部２５３とを備えて構成されている。
【００７６】
又、この多重化装置２００は、前述した第１の電子機器２１０に積層された第２の電子機器２２０と、第１機器用異常表示灯２２２と、光伝達部を構成するプリズム状ミラー部２６２ｂ，２６２ａと、第１機器用異常表示部２６３と、システムバス等のバス部２７０とを備えて構成されている。その他の構成は前述した第１実施形態と同一となっている。
【００７７】
次に、本第３の実施形態にかかる多重化装置２００の動作を説明する。
先ず、多重化装置２００では、第１の電子機器２１０の第２機器用監視部（不図示）は、前述した第１実施形態の場合と同様に、バス部２７０を経由して第２の電子機器２２０における図示しない第２機器制御部の稼働状態を常時監視している。
【００７８】
そして、上記第１の電子機器２１０の第２機器用監視部が、バス部２７０を介して第２の電子機器２２０における第２機器制御部が停止したことを検知すると、当該第１の電子機器２１０に予め装備されている第１機器制御部が作動し、前述した第２機器用監視部を介して第２機器用異常表示灯２１２を起動制御し、当該第２機器用異常表示灯２１２を点灯（若しくは点滅）させ、表示光を出力制御する。
【００７９】
続いて、第１の電子機器２１０の第２機器用異常表示灯２１２から発せられた光は、プリズム状ミラー部２５２ａ，２５２ｂを経由して第２の電子機器２２０に対応する第２機器用表示部としての第２異常表示部２５３（ＦＡＵＬＴ  ２）側から外部に向けて出力表示される。
【００８０】
一方、第２の電子機器２２０における第１機器用監視部（不図示）は、前述したバス部２７０を経由して第１の電子機器２１０における図示しない第１機器制御部の稼働状態を常時監視している。
【００８１】
そして、上記第２の電子機器２２０の第１機器用監視部が、バス部２７０を介して第１の電子機器２１０における第１機器制御部が停止したことを検知すると、当該第２の電子機器２２０に予め装備されている第２機器制御部が作動し、前述した第１機器用監視部（不図示）を介して第１機器用異常表示灯２２２を起動制御し、当該第１機器用異常表示灯２２２を点灯（若しくは点滅）させ、表示光を出力制御する。
【００８２】
続いて、第２の電子機器２２０の第１機器用異常表示灯２２２から発せられた光は、プリズム状ミラー部２６２ｂ，２６２ａを経由して第１の電子機器２１０に対応する第１機器用表示部としての第１異常表示部２６３（ＦＡＵＬＴ  １）側から外部に向けて出力表示される。
その他の構成およびその作用効果は前述した第１の実施形態と同一となっている。
【００８３】
この第３の実施形態は以上のように構成され機能するので、これによると、前述した第１の実施形態と同様の作用効果を奏しながらも、ランプ表示部分を積層された各電子機器２１０，２２０の側面に位置して且つ正面に向けて設置したので、故障表示の自由度・多様性に対応することが可能となる。
【００８４】
また、前記プリズム状ミラー部は、光ファイバーによる光接続に置き換えてもよい。ここ場合、光ファイバーによる光接続とすることで狭い場所も通ることが可能となることから、レイアウトの自由度が向上しその用途も広がる。
【００８５】
更に、上記の各構成要素の動作説明において、上述した各ステップの動作内容及び各部の構成要素並びにそれらによる各機能をコンピュータ実行可能にプログラム化し、このプログラム（ソフトウエアプログラム）を前記電子機器が備えているコンピュータに実行させるようにしてもよい。
【００８６】
［第４の実施の形態］
次に、第４の実施形態を図１３に基づいて説明する。
ここで、この図１３は、本第４実施の形態における多重化装置３００の全体を示す概略構成を模式的に示す斜視図であり、上側の第２の電子機器が故障した際に、その右上から見た場合の図である。
【００８７】
この第４の実施形態は、前述した第１実施形態がランプ表示部分を前述した各電子機器の枠内における前面側に設置したのに対して、ランプ表示部分を各電子機器の枠外の上部および下部に設置した点に特徴を有する。
【００８８】
図１３において、本第４実施形態にかかる多重化装置３００は、一方の電子機器である第１の電子機器３１０と、第２機器用異常表示灯３１２と、ダミー表示灯３１３と、プリズム状ミラー部３５２ａ，３５２ｂを含む第２機器用光伝達部３５２と、第２機器用異常表示部３５３（ＦＡＵＬＴ  Ｂ）とを備えて構成されている。
ここで、この第１の電子機器３１０は、前述した第１実施形態の場合と同様に、第２電子機器３２０の動作を監視する第２機器用監視部（不図示）と、この第２機器用監視部（不図示）および上記各表示灯の動作を制御する第１機器用制御部（不図示）とを備えて構成されている。
【００８９】
更に、この多重化装置３００は、他方の電子機器である第２の電子機器３２０と、第１機器用異常表示灯３２２と、ダミー表示灯３２３と、プリズム状ミラー部３６２ｂ，３６２ａ，３６３ｂとを含む第１機器用光伝達部３６２と、第１機器用異常表示部３６３とを備えて構成されている。
ここで、この第２の電子機器３２０は、前述した第１実施形態の場合と同様に、第１の電子機器３１０の動作を監視する第１機器用監視部（不図示）と、この第１機器用監視部（不図示）および上記各表示灯の動作を制御する第２機器制御部（不図示）とを備えて構成されている。
又、第１，第２の各電子機器３１０，３２０は、相互に積層されて多重化され、バス部３７０を介して一体的に連結されている。
【００９０】
即ち、上述した第１，第２の複数の機器３１０，３２０は、積層配置される際に、前記第１の電子機器３１０に点灯制御される第２機器用表示部３５３が、前記多重化装置３００の積層方向の一端側（第２の電子機器３２０側）の天部に配設され、前記第２の電子機器３１０に点灯制御される第１機器用表示部３６３が、前記多重化装置３００の積層方向の他端側である底部に配設されている。そして、前述した各光伝達部３６２，３５２が、この配置状態に対応して組み込まれている。
その他の構成は前述した第１実施形態と同一となっている。
【００９１】
次に、この第４の実施形態の動作を、図１３乃至図１４を参照して説明する。
先ず、図１３に示す多重化装置３００では、第１の電子機器３１０における第１機器制御部（不図示）は、第２機器用監視部（不図示）およびバス部３７０を経由して第２の電子機器３２０を監視している。
【００９２】
続いて、第１の電子機器３１０の第２機器用監視部が、第２の電子機器３２０の第２機器制御部の停止を検知すると、前述した第１の電子機器３１０内の第１機器制御部は、第２機器用監視部を介して第２異常表示灯３１２から光を出力し、点灯（若しくは点滅）制御する。
【００９３】
その後、第１の電子機器３１０内の第２異常表示灯３１２から発せられた光は、プリズム状ミラー部３５２ａ，３５２ｂを経由して第２の電子機器３２０側に配置された第２機器用表示部である第２機器用異常表示部３５３（ＦＡＵＬＴ  Ｂ）側から出力される。
【００９４】
一方、第２の電子機器３２０における第１機器用監視部（不図示）は、バス部３７０を経由して第１の電子機器３１０内における第２機器制御部（不図示）の状態を常時監視している。
そして、第２の電子機器３２０における第１機器用監視部（不図示）が、第１機器用監視部の停止を検知すると、第１機器用監視部を介して第１機器用異常表示灯３２２から光を出力し、点灯（若しくは点滅）制御を行う。
【００９５】
これにより、第２の電子機器３２０内の第１機器用異常表示灯３２２から発せられた光は、プリズム状ミラー部３６２ｂ，３６２ａ，及び３６３ｂを経由して第１の電子機器３１０に対応する第１機器用表示部である第１機器用異常表示部３６３（ＦＡＵＬＴ  １）側から出力される。
【００９６】
以下、上記動作を更に詳細に説明する。
（システム全体の動作）
図１４に示すように、多重化装置３００が備えたコンピュータ（又は第１の電子機器３１０が備えているコンピュータ）がバス部３７０を介して外部（例えば、図示しないホストコンピュータ）からロケーションＩＤ（制御部識別子）を取得する処理を行う（ステップＳ２０１：制御部識別子取得ステップ，制御部識別子取得機能）。
【００９７】
続いて、多重化装置３００の第１の電子機器３１０が備えているコンピュータが、取得したロケーションＩＤが「１」（第１の電子機器識別情報）であるか否か判定する（ステップＳ２０２：制御部識別子判定処理ステップ，制御部識別子判定機能）。
【００９８】
ここで、ロケーションＩＤが「１」（第１の電子機器識別情報）は、バス部３７０の図１３における下部に実装される第１の電子機器３１０がこれに対応する。また、ロケーションＩＤが「２」（第２の電子機器識別情報）の場合は、バス部３７０の図１３における上部に実装される第２の電子機器３２０がこれに対応する。
【００９９】
ステップＳ２０２において、ロケーションＩＤが「１」でないと判定された場合は、多重化装置３００は、第２の電子機器３２０が作動し第１機器用異常表示灯３２２を（図１３参照右側）を選択設定する（ステップＳ２０３）。
【０１００】
一方、ステップＳ２０２において、ロケーションＩＤが「１」であると判定された場合は、多重化装置３００は、第２の電子機器３１０が作動し第２機器用異常表示灯３１２（（図１３／左側）を選択設定する（ステップＳ２１１）。
【０１０１】
このステップＳ２１１に続いて、第１の電子機器３１０が第２の電子機器３２０の稼働状態を監視し、第１の電子機器３１０における第１機器制御部が前述したように第２の電子機器３２０の第２機器制御部の停止有無を検出する（ステップＳ２１２：第２機器用監視ステップ，第２機器用状態監視機能）。即ち、第１の電子機器３１０は第２の電子機器３２０が停止したかを検出する。
【０１０２】
上記ステップＳ２１２の第２機器用監視ステップにおいて、第１の電子機器３１０側が第２電子機器３２０側の停止を検出しない場合には、第１機器制御部は第２機器用監視部を介して第２機器用異常表示灯（第２機器用表示発光源）３１２の動作を停止する（ステップＳ２１４：第２機器用光源出力停止ステップ、第２機器用光源出力停止機能）。
この場合、第１の電子機器３１０の第１機器制御部は、第２機器用監視部を介して第２機器用異常表示灯（第２機器用表示発光源）３１２の動作を制御する際しては、例えば緑色点灯など表示色が変更する制御を行ってもよい（光源発光色変更制御ステップ，光源発光色変更制御機能）。
【０１０３】
一方、前記ステップＳ２１２の第２機器用監視ステップにおいて、第１の電子機器３１０側が第２電子機器３２０側の停止を検出した場合には、第１の電子機器３１０の第１機器制御部が第２機器用監視部を介して第２機器用異常表示灯（第２機器用表示発光源）３１２を動作させ、異常（故障）である旨の光を出力する（第２機器用表示光出力ステップ，第２機器用表示光出力制御機能）。
これにより、例えば、第１の電子機器３１０側の第２機器用監視部が点灯又は点滅する動作を行うように第２機器用異常表示灯３１２を駆動制御する。
【０１０４】
その後、上記第１の電子機器３１０の第２機器用異常表示灯（第２機器用表示発光源）３１２から光が出力されると、第２機器用光伝達部（プリズム状ミラー部３５２ａ，３５２ｂ）を介して、第２の電子機器３２０に対応する第２機器用表示部（第２機器用異常表示部）３５３（ＦＡＵＬＴ  Ｂ）に向けて案内伝達され、当該第２機器用異常表示部３５３が設置されている第２の電子機器３２０側から異常表示用の表示光が出力されることとなる（ステップＳ２１３：第２機器用光伝達ステップ，第２機器用光伝達機能）。
【０１０５】
次に、ステップＳ２０３に続いて、第２の電子機器３２０が第１の電子機器３１０の稼働状態を監視し、当該第２の電子機器３２０にて、前記第１の電子機器３１０が停止したか否かを検出する（ステップＳ２０４：第１機器稼働監視ステップ，第１機器用状態監視機能）。
【０１０６】
上記ステップＳ２０４の第１機器稼働監視ステップにおいて、第２の電子機器３２０側が第１の電子機器の稼働停止を検出しなかった場合には、第２の電子機器３２０側の第２機器制御部が第１機器用監視部を介して第１機器用異常表示灯（第１機器用表示発光源）３２２の動作を停止する（ステップＳ２０６：第１機器用表示光源出力停止ステップ，第１機器用光源出力停止制御機能）。
この場合、或いは、第２の電子機器３２０側で第１機器用異常表示灯（第１機器用表示発光源）３２２を、例えば緑色点灯など表示色を変更する制御を行ってもよい（第１機器用光源色変更制御ステップ，第１機器用光源発光色変更制御機能）。
【０１０７】
一方、前記ステップＳ２０４の第１機器用監視ステップにおいて、第２の電子機器３２０側が、第２電子機器３１０側の稼働停止を検出した場合には、第２の電子機器３２０において、第２機器制御部が第１機器用監視部を介して第１機器用異常表示灯（第１機器用表示発光源）３２２を動作させ、異常（故障）である旨の光を出力する（第１機器用表示光出力ステップ，第１機器用表示光出力制御機能）。
【０１０８】
その後、上記第２の電子機器３２０の第１機器用異常表示灯（第１機器用表示発光源）３２２から光が出力されると、第１機器用光伝達部（プリズム状ミラー部３６２ａ，３６２ｂ，３６３ｂ）を介して、第１の電子機器３１０に対応する第１機器用表示部（第１機器用異常表示部）３６３（ＦＡＵＬＴ  Ａ）に向けて案内伝達され当該第２機器用異常表示部３６３が設置されている第１の電子機器３１０側から異常表示用の表示光が出力されることとなる（ステップＳ２０５：第１機器用光伝達ステップ，第１機器用光伝達機能）。
【０１０９】
以降、前記各ステップを繰り返すことによって、上記多重化装置３００では、二重化構成における各機器の状態表示制御が実行される。
【０１１０】
ここで、上述した図１３，図１４に示す多重化装置３００にあっては、第１の電子機器３１０と第２の電子機器３２０とをその監視順序を相互に連携させた状態の例を説明したが、ロケーションＩＤが「１」の場合の第１の電子機器３１０における監視制御動作と、ロケーションＩＤが「２」の場合の第２の電子機器３２０における監視制御動作とを、図１５，図１６に示すように、それぞれ独立した状態で稼働させるように構成してもよい。この場合、それぞれ図１５，図１６の各稼働処理内容は、前記図１４に開示した内容と同一となっている。
このようにすると、前述した第１実施形態における図７ないし図８の場合と同様の作用効果を得ることができる。
【０１１１】
ここで、上述した各構成部分における各動作機能については、それらをコンピュータが実施可能にプログラム化し、前述した対応する第１の電子機器３１０又は第２の電子機器の電子機器３２０が備えているコンピュータに実行させるように構成してもよい。
【０１１２】
以上のように、上記第４の実施形態によれば、前述した第１の実施形態の場合と同様の作用効果を有するほか、ランプ表示部分を第１の電子機器３１０の下側および第２の電子機器３２０の上側にそれぞれその全域にわたって設置し得るので、故障表示の自由度があり、従って故障表示の多様性に有効に対応することができるという利点がある。
【０１１３】
又、前述したプリズム状ミラー部３５２ａ，３５２ｂ；３６２ａ，３６２ｂ，３６３ｂについては、これを光ファイバーによる光接続に置き換えることにより、狭い場所での設置が可能となり、レイアウトの自由度の向上を図ることができ、使用用途も広がるという利点がある。
【０１１４】
［第５の実施形態］
次に、第５の実施形態を図１７に基づいて説明する。
この図１７は、本第５実施の形態における多重化装置４００の全体を示す概略構成を模式的に示した斜視図である。
【０１１５】
本第５の実施形態において、多重化装置４００は、図１７に示すように、背面側に配置したバス部４７０に対応して図１７の上下方向に多重化されて配置された二つの電子機器４１０，４２０によって構成されている。この内、下側には第１の電子機器４１０（ＯＢＪＥＣＴ  Ａ）が、上側には第２の電子機器４２０（ＯＢＪＥＣＴ  Ｂ）が、それぞれ実装されている。
【０１１６】
そして、この図１７に示す第５の実施形態にあっては、第１，第２の各電子機器４１０，４２０の各一端面（前面）が同一面上に配置され、この各電子機器４１０，４２０の一端面内に、各電子機器用の異常表示面が配置された構成となっている。
即ち、第１の電子機器４１０の一端面内に第１機器用異常表示部４２２（ＦＡＵＬＴ  Ａ）の表示面４６３が配置され、第２の電子機器４２０の一端面内に第２機器用異常表示部４１２（ＦＡＵＬＴ  Ｂ）の表示面４５３が配置されたレイアウト構成を有する。
【０１１７】
このため、プリズム状ミラー部４５２ｂ，４５２ａ、プリズム状ミラー部４６２ｂ，４６２ａが、第２の電子機器４２０（ＯＢＪＥＣＴ  Ｂ）及び第１の電子機器４１０（ＯＢＪＥＣＴ  Ａ）の内部に納まるように構成される。
その他の構成は前述した第１の実施形態（図１〜図４参照）と同一となっている。
【０１１８】
（動作説明）
次に、上記第５の実施形態の動作を図１８を参照しつつ説明する。
この図１８は、本第５の実施形態における多重化装置４００おける全体の動作（情報処理手順）の一例を示すフローチャートである。
【０１１９】
この図１８に示すように、上記多重化装置４００が備えたコンピュータ（第１又は第２の電子機器が備えているコンピュータ）は、バス部４７０を介して図示しないホストコンピュータからロケーションＩＤ（制御部識別子）を取得する（ステップＳ３０１：制御機器識別子取得処理ステップ，制御機器識別子取得処理機能）。
【０１２０】
ここで、本第５実施形態では、第１又は第２の電子機器４１０，４２０がそれぞれ同時に個別に前記ロケーションＩＤ（制御部識別子）を取得するように構成され、その内容によっては各電子機器４１０，４２０の各々がロケーションＩＤ（制御部識別子）の内容を判断し、当該ロケーションＩＤ（制御部識別子）の適合した電子機器４１０又は４２０が前記ホストコンピュータに選択されて作動するように構成されている。
【０１２１】
尚、この場合、多重化装置４００は前述した第１、第２の各電子機器４１０又は４２０の入力段にロケーションＩＤ（制御部識別子）を識別するためのＣＰＵを予め装備しておき、当該ＣＰＵの判断で、前述した第１，第２の各電子機器４１０又は４２０の何れか（正常動作可能な方）が選択されるように構成してもよい。
【０１２２】
続いて、上記多重化装置４００側で取得したロケーションＩＤが「１」（第１の電子機器識別情報）であるか否かが判定される（ステップＳ３０２：制御部識別子判定処理ステップ，制御部識別子判定処理機能）。
【０１２３】
ここで、ロケーションＩＤが「１」（第１の電子機器識別情報）の場合は、バス部４７０に対応して図１７の下方側に実装された第１の電子機器４１０の識別子が入力されたことを意味する。又、ロケーションＩＤが「２」（第２の電子機器識別情報）の場合は、バス部４７０に対応して図１７の上方側に実装された第２の電子機器４２０の識別子が入力されたことを意味する。
【０１２４】
前記ステップＳ３０２において、ロケーションＩＤが「１」でないと判定された場合は、多重化装置４００が備えているコンピュータは第２の電子機器４２０の動作を意図して、第１異常表示灯は右側のもの（図１７）を選択設定する処理を行う（ステップＳ３０３）。
【０１２５】
一方、ステップＳ３０２において、ロケーションＩＤが「１」であると判定された場合は、多重化装置４００が備えているコンピュータは、第１の電子機器４１０の動作を意図して、第２異常表示灯は左側のもの（図１７）を選択設定する処理を行う（ステップＳ３１１）。
【０１２６】
ステップＳ３１１に続いて、第１の電子機器４１０が第２の電子機器４２０の状態を監視し、第１の電子機器４１０にて、第２の電子機器４２０が停止したか否かを検出する（ステップＳ３１２：第２機器状態監視ステップ，第２機器状態監視機能）。
【０１２７】
前記ステップＳ３１２の第２機器状態監視ステップにおいて、第１の電子機器４１０が備えている第２機器用監視部が、第２の電子機器４１０の稼働停止を検出しない場合には、第１の電子機器４１０の第２機器用監視部が第２機器用異常表示灯（第２機器用表示発光源）４１２の動作を停止する（ステップＳ３１４：第２機器用表示光源出力停止ステップ，第２機器用表示光源出力停止機能）。
【０１２８】
この場合、第１の電子機器４１０の第２機器用監視部は、第２機器用異常表示灯（第１の第２機器用表示発光源）４１２の動作において、例えば緑色点灯など表示色が変更する制御を行ってもよい（第２機器用表示光色変更制御ステップ，第２機器用表示光色変更制御機能）。
【０１２９】
一方、前記ステップＳ３１２の第２機器状態監視ステップにおいて、第１の電子機器４１０の第１機器用監視部が、第２の電子機器４２０の稼働停止を検出した場合には、第１の機器４１０における第２機器用監視部が第２機器用異常表示灯（第２機器用表示発光源）４１２を動作させ、異常（故障）である旨の光を出力する（第２機器用表示光出力ステップ，第２機器用表示光出力機能）。この場合、例えば、第２機器用監視部は第２機器用異常表示灯４１２が点灯又は点滅するように動作制御する。
【０１３０】
その後、第２機器用異常表示灯（第２機器用表示発光源）４１２から光が出力されると、第２機器用光伝達部（プリズム状ミラー部４５２ａ・プリズム状ミラー部４５２ｂ）を介して、第２の電子機器４２０に対応する第２機器用表示部としての第２異常表示部（ＦＡＵＬＴ  Ｂ）４５３に向けて案内伝達することで、第２異常表示部４５３が設定された第２の電子機器４２０側から光が出力することとなる（ステップＳ３１３：第２機器用光伝達ステップ，第２機器用光伝達機能）。
【０１３１】
次に、ステップＳ３０３に続いて、第２の電子機器４２０が第１の電子機器４１０の稼働状態を監視し、第２の電子機器４２０における第１機器用監視部が第１の電子機器４１０（即ち、第１機器制御部）の稼働が停止したか否かを検出する（ステップＳ３０４：第１機器状態監視ステップ，第１機器状態監視機能）。
【０１３２】
前記ステップＳ３０４の第１機器状態監視ステップにおいて、第２機器用監視部が、第１の電子機器４１０の稼働停止を検出しない場合には、第２の電子機器４２０の第１機器用監視部が第１異常表示灯（第１機器用表示発光源）４２２の動作を停止する（ステップＳ３０６：第１機器用表示光源出力停止ステップ，第１機器用表示光源出力停止機能）。
【０１３３】
この場合、第２の電子機器４２０の第１機器用監視部が第１機器用異常表示灯（第１機器用表示発光源）４２２の動作において、例えば緑色点灯など表示色が変更する制御を行ってもよい（第１機器用表示光源発光色変更制御ステップ，第１機器用表示光源発光色変更制御機能）。
【０１３４】
一方、前記ステップＳ３０４（第１機器状態監視ステップ）において、第２機器用監視部が、第２の電子機器４２０の稼働停止を検出した場合には、第１の電子機器４１０内において第２機器用監視部が第１異常表示灯（第１機器用表示発光源）４１２を動作させ、異常（故障）である旨の光を出力する（第１機器用表示光源出力ステップ，第１機器用表示光源出力機能）。
【０１３５】
その後、第１異常表示灯（第１の第１機器用表示発光源）４１２から光が出力されると、第１機器用光伝達部（プリズム状ミラー部４６２ａ，４６２ｂ）を介して、第１の電子機器４１０に対応する第１機器用表示部としての第１異常表示部４６３（ＦＡＵＬＴ  Ａ）に向けて案内伝達することで、第１の電子機器４１０側の第１機器用表示部４６３から表示光が出力されることとなる（ステップＳ３０５：第１機器用光伝達ステップ，第１機器用光伝達機能）。
【０１３６】
以降、前記各ステップを繰り返すことによって、この二重化構成の多重化装置における各機器の状態表示制御を行う。
【０１３７】
ここで、上述した図１８に示す多重化装置４００にあっては、第１の電子機器４１０と第２の電子機器４２０とをその監視順序を相互に連携させた状態の例を説明したが、ロケーションＩＤが「１」の場合の第１の電子機器４１０における監視制御動作と、ロケーションＩＤが「２」の場合の第２の電子機器４２０における監視制御動作とを、図１９，図２０に示すように、それぞれ独立した状態で稼働させるように構成してもよい。この場合、それぞれ図１９，図２０の各稼働処理内容は、前記図１８に開示した内容と同一となっている。
【０１３８】
以上のように本第５の実施形態によれば、前述した第１の実施の形態と同様の作用効果を奏しながらも、ランプ表示部分を各制御部の内部に設置できるので、多重化装置における規模の小型化、省スペース化に寄与できる。
【０１３９】
その他の構成・動作およびその他のステップないしは機能並びにその作用効果については、前述した第１の実施形態の場合と同一となっている。
また、上記の説明において、上述した各ステップの動作内容、および各構成要素による各機能の内容をプログラム化し、このプログラムをコンピュータに実行させるように構成してもよい。
【０１４０】
［第６の実施の形態］
次に、本発明にかかる第６の実施形態を、図２１に基づいて説明する。
この図２１は、本第６の実施形態における多重化装置全体の概略構成の一例を模式的に示す斜視図である。
【０１４１】
この第６の実施形態は、上述した第５の実施形態と一部異なり、図２１に示す本実施の形態の多重化装置５００に示すように、バス部５７０に接続されて実装される第２の電子機器５２０（ＯＢＪＥＣＴ  Ｂ）及び第１の電子機器５１０（ＯＢＪＥＣＴ  Ａ）の前面より、第１機器用異常表示部５６３（ＦＡＵＬＴ  Ａ）及び第２機器用異常表示部５５３（ＦＡＵＬＴ  Ｂ）が突設されたレイアウト構成とした点に特徴を有する。
【０１４２】
この場合、プリズム状ミラー部５５２ｂ，５５２ａ、プリズム状ミラー部５６２ｂ，５６２ａが、第２の電子機器５２０（ＯＢＪＥＣＴ  Ｂ）及び第１の電子機器５１０（ＯＢＪＥＣＴ  Ａ）の外部に突出された構成となっている。
【０１４３】
その他の構成およびその動作機能並びにその作用効果については、前述した第５の実施形態と同一となっている。
【０１４４】
［第７の実施の形態］
次に、本発明にかかる第７の実施形態を図２２乃至図２６に基づいて説明する。
この第７の実施の形態は、第１，第２の各電子機器の異常表示部をそれぞれ第１表示部と第２表示部として二箇所に装備した点に特徴を有する。
【０１４５】
最初に、前述した第５の実施形態（図１７参照）との相違点を説明し、本第７実施形態に必要性を説明する。
まず、前述した第５の実施形態（図１７参照）にあって、例えば各電子機器４１０，４２０の故障が発生した場合を想定する。この場合、当該故障にかかる電子機器４１０又は４２０を作業員が交換した場合に前述した付属部品であるプリズム状ミラーの形状及び異常表示灯の上下（又は左右）位置が逆になる場合が生じる。
【０１４６】
例えば、比較例として図２３を示す。この図２３は、保守点検時に第１の電子機器４１０と第２の電子機器４２０とを上下入れ替えた場合の図を示す。かかる場合、図２３では、どちらの機器用異常表示灯４１２，４２２を点灯させたとしても発した光が異常表示部４５３，４６３に届かない状態となってしまう。
【０１４７】
即ち、図２３に示す多重化装置４００Ａおいては、異常表示灯４２２（ＦＡＵＬＴ  Ｂ−ＬＥＤ）からの光（矢印Ｐ４）が異常表示部４５３（ＦＡＵＬＴ  Ｂ）に至らない。また、異常表示灯４１２（ＦＡＵＬＴ  Ａ−ＬＥＤ）からの光（矢印Ｑ４）が異常表示部４６３（ＦＡＵＬＴ  Ａ）に至らない事態が発生する。
【０１４８】
また、図２７に示す多重化装置５００Ａおいては、異常表示灯５２２（ＦＡＵＬＴ  Ｂ−ＬＥＤ）からの光（矢印Ｐ４）が異常表示部５５３（ＦＡＵＬＴ  Ｂ）に至らない。また、異常表示灯５１２（ＦＡＵＬＴ  Ａ−ＬＥＤ）からの光（矢印Ｑ５）が異常表示部５６３（ＦＡＵＬＴ  Ａ）に至らない事態が発生する。
【０１４９】
この場合、第１の電子機器４１０の場合と同じプリズム状ミラーの形状であり同じ位置に異常表示灯を有する補修部品を用意し、第２の電子機器４２０と同じプリズム状ミラーの形状であり同じ位置に異常表示灯を有する補修部品を用意すれば、交換できることにはなるが、この２つの補修部品に相互互換は無いことから補修部品が２種類になってしまうという不都合がある。
【０１５０】
本第７の実施形態では、図２２に示すように、各電子機器６１０，６２０に異常表示灯を二箇所に装備して２つ点灯（若しくは点滅）させるようにし、それぞれをプリズム状ミラー及びプリズム状ミラーからループ状光経路を通して異常表示部に導くことにより、前述した図２３の如き不都合を回避したもので、保守作業上、装置全体の有用性および信頼性が著しく高められたものとなっている。
【０１５１】
以下、これを具体的に説明する。
まず、この第７の実施形態における多重化装置６００は、図２２に示すように、第１の電子機器６１０と、第２の電子機器６２０と、バス部６７０とを含んで構成される。更に、２つの第２機器用異常表示灯６１２，６１３と、２つの第１機器用異常表示灯６２２，６２３と、プリズム状ミラー部６５２ａ，６５３ｂ，６６２ａ，６６２ｂと、ループ状光経路６５４，６６４とを含む構成としている。
【０１５２】
前述した多重化装置６００における表示部は、第１の電子機器６１０に対応する第１の表示部である一方の第１機器用表示部６６３（左側ＦＡＵＬＴ  Ａ：左側第１異常表示部）及び第２の表示部である他方の第１機器用表示部６５３（右側ＦＡＵＬＴ  Ａ：右側第１異常表示部）と、第２の電子機器６２０に対応する第１の表示部である一方の第２機器用表示部６５５（右側ＦＡＵＬＴ  Ｂ：右側第２異常表示部）及び第２の表示部である他方の第２機器用表示部６６５（左側ＦＡＵＬＴ Ｂ：左側第２異常表示部）とを含む構成としている。
【０１５３】
第１の電子機器６１０内には、図２５，図２６に示すように、第２の電子機器６２０の状態を監視する第２機器用監視部６１１Ｂ及びその動作を制御する第１機器制御部６１１Ａと、この第１機器制御部６１１Ａ及び第２機器用監視部６１１Ｂでの監視結果に応じて表示発光する一方の第２機器用表示発光源である右側第２異常表示灯６１２（右側ＦＡＵＬＴ  Ｂ−ＬＥＤ）と、前述した第１機器制御部６１１Ａ及び第２機器用監視部６１１Ｂでの監視結果に応じて表示発光する他方の第２機器用表示発光源としての左側第２異常表示灯６１３（左側ＦＡＵＬＴ  Ｂ−ＬＥＤ：図２６参照）とを含んで構成される。
【０１５４】
又、第２の電子機器６２０内には、図２５，図２６に示すように、第１の電子機器６１０の稼働状態を監視する第１機器用監視部６２１Ｂ及びその動作を制御する第２機器制御部６２１Ａと、この第２機器制御部６２１Ａ及び第１機器用監視部６２１Ｂでの監視結果に応じて表示発光する一方の第１機器用表示発光源である左側第１異常表示灯６２２（右側ＦＡＵＬＴ  Ａ−ＬＥＤ）と、前述した第２機器制御部６２１Ａ及び第１機器用監視部６２１Ｂでの監視結果に応じて表示発光する他方の第１機器用表示発光源としての右側第１異常表示灯６２３（左側ＦＡＵＬＴ  Ａ−ＬＥＤ：図２６参照）とを含んで構成されている。
【０１５５】
この第７の実施形態における多重化装置６００では、第１の電子機器６１０における一方の第２機器用表示発光源（右側第２異常表示灯：右側ＦＡＵＬＴ  Ｂ−ＬＥＤ）６１２からの光を第２の電子機器６２０側に対応する一方の第２機器用表示部（右側ＦＡＵＬＴ  Ｂ：右側第２異常表示部）６５５に向けて案内伝達する一方の第２機器用光伝達部（プリズム状ミラー部６５２ａ，６５２ｂ：非ループ状光経路）が設けられている。
【０１５６】
また、この第７の実施形態における多重化装置６００には、第２の電子機器６２０における前記一方の第１機器用表示発光源としての左側第１異常表示灯（左側ＦＡＵＬＴ  Ａ−ＬＥＤ）６２３からの光を第１の電子機器６１０側に対応する一方の第１機器用表示部（左側ＦＡＵＬＴ  Ａ：左側第１異常表示部）６６３に向けて案内伝達する一方の第１機器用光伝達部（プリズム状ミラー部６６２ａ，６６２ｂ：非ループ状光経路）が設けられている。
【０１５７】
更に、本第７の実施形態における多重化装置６００には、前記第１の電子機器６１０における前記他方の第２機器用表示発光源としての左側第２異常表示灯（左側ＦＡＵＬＴ  Ｂ−ＬＥＤ）６１３からの光を、前記第２の電子機器６２０側に対応する前記他方の第２機器用表示部（左側ＦＡＵＬＴ  Ｂ：左側第２異常表示部）６６５に向けて案内伝達する他方の第２機器用光伝達部としてのループ状光経路６６４が設けられている。
【０１５８】
又、前記第２の電子機器６２０における前記他方の第１機器用表示発光源としての右側第１異常表示灯（右側ＦＡＵＬＴ  Ａ−ＬＥＤ）６２２からの光を、前記第１の電子機器６１０に対応する前記他方の第１機器用表示部（左側ＦＡＵＬＴ  Ｂ：左側第２異常表示部）６６５に向けて案内伝達する他方の第１機器用光伝達部としてのループ状光経路６５４が設けられている。
【０１５９】
ここで、ループ状光経路６６４、６５４は、例えば光ファイバーなどの柔軟性のある光伝達部材を用いて構成してもよいし、他の種々の光学系（複数の光学部材）を組み合わせて用いてもよい。
この場合、ループ状光経路６６４は、例えば図２２に示すように、複数のプリズム状ミラー部６６４a ，６６４ｂ，６６４ｃ，６６４ｄを用いて構成されている。
【０１６０】
同様に、ループ状光経路６５４は、例えば図２２に示すように、複数のプリズム状ミラー部６５４a ，６５４ｂ，６５４ｃ，６５４ｄを用いて構成されている。
更に、２つのループ状光経路６６４，６５４の内、経路長の長いループ状光経路６５４を光ファイバーで、経路長の短いループ状光経路６６４を複数のプリズム状ミラー部で構成してもよい。
【０１６１】
また、各表示灯は、ＬＥＤに限らず、種々の光源や表示部を用いることもできる。
【０１６２】
このように、前記複数の各電子機器６１０，６２０が積層配置される際に、前記一方と他方の各第１機器用表示部が同層に形成され、前記一方と他方の各第２機器用表示部が同層に形成され、前記一方の第１機器用表示部と前記一方の第２機器用表示部とが同列に形成され、他方の第１機器用表示部と他方の第２機器用表示部とが同列に配置される（図２２参照）。
【０１６３】
この場合、図２２に示すように、前記他方の第２機器用光伝達部と前記他方の第１機器用光伝達部とが、ループ状光経路により形成され、前記一方の第２機器用光伝達部と前記一方の第１機器用光伝達部とが、非ループ状光経路により形成されている。
【０１６４】
（動作説明）
次に、本第７実施形態の多重化装置６００の動作を、図２２を参照して説明する。
（図２２：右側の２個の表示灯）
図２２および図２５に示すように、第１の電子機器６１０内の一方の第２機器用監視部６１１Ｂは、予め装備された第１機器制御部６１１Ａの指示に従いバス部６７０を経由して第２の電子機器６２０の稼働状態を常時監視している。
【０１６５】
この場合、第１の電子機器６１０内の一方の第２機器用監視部６１１Ｂが、バス部６７０を介して第２の電子機器６２０が稼働停止したことを検知すると、前述した第１機器制御部６１１Ａは、一方の第２機器用表示発光源（右側第２異常表示灯）６１２を起動させ、その出力光の点灯（若しくは点滅）制御を行う。
【０１６６】
その後、第１の電子機器６１０における右側第２異常表示灯６１２（一方の第２機器用表示発光源）から発せられた光は、一方の第２機器用光伝達部を構成するプリズム状ミラー部６５２ａ，６５２ｂを経由して第２の電子機器６２０に対応する一方の第２機器用表示部６５５（図２２における右側のＦＡＵＬＴ  Ｂ）側から出力され、当該一方の第２機器用表示部６５５を点灯表示する。
【０１６７】
又、第２の電子機器６２０内の一方の第１機器用監視部６２１Ｂは、予め装備された第２機器制御部６２１Ａの指示に従いバス部６７０を経由して第１の電子機器６１０の稼働状態を常時監視している。
【０１６８】
そして、この場合、第２の電子機器６２０内の一方の第１機器用監視部６２１Ｂが、バス部６７０を介して第１の電子機器６１０が稼働停止したことを検知すると、前述した第２機器制御部６２１Ａは、第２の電子機器６２０内の一方の第１機器用表示発光源（右側第１異常表示灯）６２２を起動させ、その出力光の点灯（若しくは点滅）制御を行う。
【０１６９】
その後、第２の電子機器６２０における右側第１異常表示灯６２２（他方の第１機器用表示発光源）から発せられた光は、他方の第１機器用光伝達部を構成するプリズム状ミラー部６５２ｂ，６５４，６５２ａを経由して第１の電子機器６１０に対応する一方の第１機器用表示部６５３（図２２における右側のＦＡＵＬＴ  Ａ）側から出力され、当該第１の電子機器６１０の第１機器用表示部６５３を点灯表示する。
【０１７０】
（図２２：左側の２個の表示灯）
図２２および図２６に示すように、第２の電子機器６２２内の他方の第１機器用監視部６２１Ｂは、予め装備された第２機器制御部６２１Ａの指示に従いバス部６７０を経由して第１の電子機器６１０の稼働状態を常時監視している。
【０１７１】
この場合、第２の電子機器６２２内の他方の第１機器用監視部６２１Ｂが、バス部６７０を介して第１の電子機器６１０が稼働停止したことを検知すると、第２の電子機器６２０の第２機器制御部６２１Ａは、前記他方の第１機器用監視部６２１Ｂを介して他方の第１機器用表示発光源（左側第１異常表示灯）６２３を起動させ、その出力光の点灯（若しくは点滅）制御を行う。
【０１７２】
その後、第２の電子機器６２０における左側第１異常表示灯（他方の第１機器用表示発光源）６２３から発せられた光は、他方の第１機器用光伝達部を構成するプリズム状ミラー部６６２ｂ，６６２ａを経由して第１の電子機器６１０に対応する他方の第１機器用表示部６６３（図２２，図２６における左側のＦＡＵＬＴ  Ａ）側から出力され、当該他方の第１機器用表示部６６３を点灯表示する。
【０１７３】
又、第１の電子機器６１０内の他方の第２機器用監視部６１１Ｂは、予め装備された第１機器制御部６１１Ａの指示に従いバス部６７０を経由して第２の電子機器６２０の稼働状態を常時監視している。
【０１７４】
そして、この場合、他方の第２機器用監視部６１１Ｂが、バス部６７０を介して第２の電子機器６２０が稼働停止したことを検知すると、前述した第１の電子機器６１０内の第１機器制御部６１１Ａは、他方の第２機器用表示発光源（左側第２異常表示灯）６１３を起動させ、その出力光の点灯（若しくは点滅）制御を行う。
【０１７５】
その後、第１の電子機器６１０における左側第２異常表示灯（他方の第２機器用表示発光源）６１３から発せられた光は、他方の第２機器用光伝達部を構成するプリズム状ミラー部６６２ａ，６６４，６６２ｂを経由して第２の電子機器６２０に対応する他方の第２機器用表示部（図２２，図２６における左側のＦＡＵＬＴ  Ｂ）６６５側から出力され、当該他方の第２機器用表示部６６５を点灯表示する。
【０１７６】
ここで、前述したループ状光経路６５４，６６４は、例えば光ファイバーなどの柔軟性のある光伝達部材を用いて構成してもよいし、他の種々の光学系（複数の光学部材）を組み合わせて用いてもよい。例えば、ループ状光経路６６４は、図２２に示すように、複数のプリズム状ミラー部６６４a ，６６４ｂ，６６４ｃ，及び６６４ｄを用いて構成することもできる。
【０１７７】
以上のように上記第７の実施形態によれば、前述した第１の実施形態の場合と同様の作用効果を奏しながらも、一方と他方の各電子機器を上下逆に配置しても表示灯の動作をそのまま継続して実行することができ、かかる点において、一方と他方の各電子機器交換時の補修部品種類を１種類にすることにより補修部品ストック削減が可能となるという利点が或る。また、２つの内の片方の表示灯が故障した場合にあっても故障表示ができることから、表示動作上の信頼性が向上し、安定した動作状態表示を得ることができる。
【０１７８】
その他の構成・動作およびその他のステップないしは機能並びにその作用効果については、前述した第１の実施形態の場合と同一となっている。また、上記の説明において、上述した各構成要素の動作ステップの動作内容及び各部の構成要素並びにそれらによる各機能をプログラム化し、このプログラム（ソフトウエアプログラム）をコンピュータに実行させてもよい。
【０１７９】
［第８の実施の形態］
次に、第８の実施形態を図２６に基づいて説明する。
ここで、前述した第７の実施形態と同一の構成部材については同一の符号を用いるものとする。
【０１８０】
この第８の実施の形態は、前述した第７の実施形態において、図２２における左側と右側の各２個の表示部６５３，６５５および６６３，６６５と、それに連なる左側と右側の各機器用光伝達部（一方と他方の第１機器用光伝達部および一方と他方の第２機器用光伝達部）とを、前述した第１及び第２の各電子機器６１０，６２０の前面から突出して設置した点に特徴を有する。
【０１８１】
即ち、この図２６では、前述した第７の実施形態（図２２参照）の各表示部（左側と右側の各２個の表示部６５３，６５５および６６３，６６５）を、その対応する各電子機器の前面から突設して、それぞれ７５３，７５５および７６３，７６５とした点に特徴を有する。
【０１８２】
この図２６に示す第８の実施の形態は、前述した第７の実施形態が図１７（第５の実施形態）における保守点検時の不都合を改善したのと同様に、図２１（第６の実施形態）における保守点検時の不都合を改善した内容となっている。
比較例として図２７を示す。この図２７は、前述した図２１（第６の実施形態）において、保守点検時に第１の電子機器５１０と第２の電子機器５２０とを上下入れ換えて設置し多重化装置５００Ａとした場合を示す。
この図２７の場合、どちらの異常表示灯５１２，５２２を点灯させても、その出力光が当該表示部５５３，５６３に届かないという事態が生じる。もともと保守上のミスで発生する内容のものではあるが、本第８実施形態では、かかる事態の発生に対しても、これに対応して装置の安全動作を確保し得るようにした点に特徴を有する。
【０１８３】
その他の具体的な構成内容およびその機能、更には全体的な作用効果は、前述した第７の実施形態と同一となっている。又、この図２６に示す第８の実施形態は、表示部が突設された分だけオペレータによる故障箇所の認識が容易となり、保守点検を迅速化が期待できるという利点を有する。
【０１８４】
［第９の実施の形態］
次に、本発明にかかる第９の実施の形態について、図２８に基づいて説明する。この図２８は、本第９の実施形態による多重化装置全体の概略構成の一例（二重化横実装）を模式的に示す正面図である。
【０１８５】
この第９の実施形態にかかる多重化装置８００は、前述した第７の実施形態における二重化構成の一方と他方の電子機器と同等のものを横に２個接続した二重化横実装の構成にした点に特徴を有する。
【０１８６】
具体的には、本第９の実施形態における多重化装置８００では、図２８に示すように、第１の電子機器８１０と、第２の電子機器８２０と、バス部８７０とを備えている。
更に、この多重化装置８００では、２つの第２異常表示灯８１２，８１３と、２つの第１異常表示灯８２２，８２３と、ループ状光経路８５２，８６２と、その他の各光経路とを備えて構成されている。
【０１８７】
以下、これを詳述する。
図２８に示すように、多重化装置８００における表示部（前面）には、第１の電子機器８１０に対応する一方の第１機器用表示部８６３（左側ＦＡＵＬＴ  Ａ：左側第１異常表示部）及び他方の第１機器用表示部８６５（右側ＦＡＵＬＴ  Ａ：右側第１異常表示部）と、第２の電子機器８２０に対応する一方の第２機器用表示部８５３（右側ＦＡＵＬＴ  Ｂ：右側第２異常表示部）及び他方の第２機器用表示部８５５（左側ＦＡＵＬＴ  Ｂ：左側第２異常表示部）とが配設されている。
【０１８８】
又、前述した第１の電子機器８１０内には、図２９に示すように、第２の電子機器８２０の状態を監視する第２機器用監視部８１１Ｂと、この第２機器用監視部８１１Ｂの動作を制御する第１機器制御部８１１Ａと、前記第２機器用監視部８１１Ｂでの監視結果に応じて表示発光する一方の第２機器用表示発光源８１２（左側第２異常表示灯：左側ＦＡＵＬＴ  Ａ−ＬＥＤ）と、同じく第２機器用監視部８１１Ｂでの監視結果に応じて表示発光する他方の第２機器用表示発光源８１３（右側第２異常表示灯：右側ＦＡＵＬＴ  Ｂ−ＬＥＤ）とを備えて構成されている。
【０１８９】
更に、前述した第２の電子機器８２０内には、図２９に示すように、第１の電子機器８１０の状態を監視する第１機器用監視部８２１Ｂと、この第１機器用監視部８２１Ｂの動作を制御する第２機器制御部８２１Ａと、前記第１機器用監視部８２１Ｂでの監視結果に応じて表示発光する一方の第１機器用表示発光源８２２（左側第１異常表示灯：左側ＦＡＵＬＴ  Ａ−ＬＥＤ）と、同じく第２機器用監視部８２１Ｂでの監視結果に応じて表示発光する他方の第１機器用表示発光源８２３（右側第２異常表示灯：右側ＦＡＵＬＴ  Ｂ−ＬＥＤ）とを備えて構成されている。
【０１９０】
多重化装置８００には、第１の電子機器８１０における一方の第２機器用表示発光源（左側第２異常表示灯８１２：左側ＦＡＵＬＴ  Ｂ−ＬＥＤ）からの光を第２の電子機器８２０側の対応する一方の第２機器用表示部８５５（左側ＦＡＵＬＴ  Ｂ：左側第１異常表示部）に向けて案内伝達する第１機器用光伝達部（非ループ状光経路）が図２８の中央下部に埋設して設けられている。
ここで、非ループ状光経路は、右側第２異常表示灯８１２（右側ＦＡＵＬＴ  Ｂ−ＬＥＤ）と第２機器用表示部８５５（左側ＦＡＵＬＴ  Ｂ）とが互いに隣接する構成となっている。このため、光接続専用のプリズム状ミラー部等が不要となる構成とすることもできる。
【０１９１】
また、前記多重化装置８００には、第２の電子機器８２０における前記一方の第１機器用表示発光源（右側第１異常表示灯８２３：右側ＦＡＵＬＴ  Ａ−ＬＥＤ）からの光を第１の電子機器８１０側における一方の第１機器用表示部８６３（左側ＦＡＵＬＴ  Ａ：左側第１異常表示部）に向けて案内伝達する第１機器用光伝達部としてのループ状光経路８６２が設けられている。
【０１９２】
更に、多重化装置８００には、第１の電子機器８１０における他方の第２機器用表示発光源（左側第２異常表示灯８１３：左側ＦＡＵＬＴ  Ｂ−ＬＥＤ）からの光を第２の電子機器８２０側における対応する他方の第２機器用表示部８５３（右側ＦＡＵＬＴ Ｂ：右側第２異常表示部）に向けて案内伝達する第２機器用光伝達部としてのループ状光経路８５２が設けられている。
【０１９３】
更に又、第２の電子機器８２０における前記他方の第１機器用表示発光源としての左側第１異常表示灯８２２（左側ＦＡＵＬＴ  Ａ−ＬＥＤ）からの光を第１の電子機器８１０に対応する他方の第１機器用表示部８６５（右側ＦＡＵＬＴ  Ｂ：右側第２異常表示部）に向けて案内伝達する第１機器用光伝達部としての非ループ状光経路が図２８の中央上部に埋設して設けられている。
ここで、非ループ状光経路は、左側第１異常表示灯８２２（左側ＦＡＵＬＴ  Ａ−ＬＥＤ）と第１機器用表示部８６５（右側ＦＡＵＬＴ  Ａ）とが互いに隣接する構成となっている。
【０１９４】
さらに、ループ状光経路８５２，８６２は、例えば光ファイバーなどの柔軟性のある光伝達部材を用いて構成してもよいし、他の種々の光学系（複数の光学部材）を組み合わせて用いてもよい。例えば、図２８に示すように、ループ状光経路８５２，８６２は、複数のプリズム状ミラー部８５２ａ，８５２ｂ，８５２ｃ，８５２ｄ、８６２ａ，８６２ｂ，８６２ｃ，８６２ｄを用いて構成してもよい。
【０１９５】
また、各表示灯は、ＬＥＤに限らず、種々の光源や表示部を用いることもできる。
【０１９６】
（動作説明）
次に、図２８を参照して、本第９の実施形態における多重化装置８００の動作について説明する。
【０１９７】
（図２８：左側２個の表示灯）
第１の電子機器８１０内の第２機器用監視部８１１Ｂは、第１機器制御部８１１Ａの指令によりシステムバス８７０を経由して、第２の電子機器８２０の稼働状態を常時監視している。
【０１９８】
続いて、第１の電子機器８１０内の第２機器用監視部８１１Ｂが第２の電子機器８２０の稼働停止を検知すると、第１機器制御部８１１Ａは第２機器用監視部８１１Ｂを介して一方と他方の第２機器用表示発光源（第２異常表示灯）８１３，８１２を駆動して光を出力し、点灯（若しくは点滅）させる制御を行う。
【０１９９】
そして、この第１の電子機器８１０における一方の第２機器用表示発光源（第２異常表示灯）８１３から発せられた光は、一方の第２機器用光伝達部（ループ状光経路）８５２を経由して第２の電子機器８２０に対応する一方の第２機器用表示部８５３（図２６における右側のＦＡＵＬＴ  Ｂ）側から出力表示される。
【０２００】
同時に、第１の電子機器８１０における他方の第２異常表示灯８１２（第２機器用表示発光源）から発せられた光は、隣接する他方の第２機器用表示部８５５（図２８における左側のＦＡＵＬＴ  Ｂ）に直接入力し、他方の第２機器用表示部８５５側から出力表示される。
【０２０１】
（図２８：左側の２個の表示灯）
第２の電子機器８２０内の第１機器用監視部８２１Ｂは、第２機器制御部８２１Ａの指令によりシステムバス８７０を経由して、第１の電子機器８１０の稼働状態を常時監視している。
【０２０２】
続いて、第２の電子機器８２０内の第２機器用監視部８２１Ｂが第１の電子機器８１０の稼働停止を検知すると、第２機器制御部８２１Ａは第１機器用監視部８２１Ｂを介して一方と他方の第１機器用表示発光源（第１異常表示灯）８２２，８２３を駆動して光を出力し、点灯（若しくは点滅）させる制御を行う。
【０２０３】
そして、この第２の電子機器８１０における一方の第２機器用表示発光源（第２異常表示灯）８２２から発せられた光は、隣接する他方の第１機器用表示部８６５（図２８における右側のＦＡＵＬＴ  Ａ）に直接入力し、他方の第１機器用表示部８６５側から出力表示される。
【０２０４】
同時に、第２の電子機器８２０における他方の第２異常表示灯８２３（第２機器用表示発光源）から発せられた光は、第１機器用光伝達部（ループ状光経路）８６２を経由して第１の電子機器８１０に対応する一方の第１機器用表示部８６３（図２８における左側のＦＡＵＬＴ  Ａ）に送り込まれ、当該一方の第１機器用表示部８６３側から出力表示される。
【０２０５】
このように、第１異常表示灯８２２，８２３が発した光は隣接する第１異常表示部８６５に出力表示され、若しくは、第１異常表示灯８２３が発した光はループ状光経路８６２を経由して第１異常表示部８６３から出力表示される。
【０２０６】
ここで、本第９の実施形態において、二つの第１異常表示部８６５，８６３と、二つの第２異常表示部８５３，８５５は、プリズム状ミラーでは無く、磨りガラス程度に光の透過率が低い・透明度の低い媒体を用いても良い。
【０２０７】
その他の構成・動作およびその他のステップないしは機能並びにその作用効果については、前述した第１の実施形態の場合と同一となっている。また、上記の説明において、上述した各ステップの動作内容及び各部の構成要素並びにそれらによる各機能をプログラム化し、このプログラム（ソフトウエアプログラム）をコンピュータに実行させてもよい。
【０２０８】
また、電子機器の多重化装置としては、電子計算機の冗長化部品（冗長化されたストレージコントローラや冗長化サーバのコントローラ並びに冗長化されたサーバ監視機構）や冗長化された各種ネットワークスイッチ及び冗長化された構内交換機等に用いてもよい。
例えば、サーバを多重化した多重化装置において、電子機器の一例であるサーバには、複数のＣＰＵやメモリ、ＨＤＤ、チップセット、その他の回路などの主要コンポーネントが１つの電子機器内に装備されている場合を含む。これらの複数の電子機器である各サーバを多重化した多重化装置においては、一つのＯＳ（オペレーティングシステム）（全体制御部）にて多重化装置を制御することができる。この場合、障害が発生すると、障害部分の一のサーバを切り離し、他の新たなサーバに交換することにより、故障したモジュールを交換し運用を継続して行うことができるようになっている。
さらに、バス部は、システムバスにより構成してもよいし、システムバスに加えて監視用バスなどの他の種々のバスを構成してもよい。
また、前述した実施の形態において、メジャーエラー、マイナーエラーは、各電子機器において定義されている各種エラー要素の各閾値に基づいて各電子機器の各機器制御部がメジャーエラー、マイナーエラー判定をすることができる。例えばエラー要素の一例として温度異常などを挙げることもできる。
【産業上の利用可能性】
【０２０９】
本発明は、電子機器全般に適用可能であり、より詳細には、電子計算機の冗長化部品といった用途に適用できる。
【図面の簡単な説明】
【０２１０】
【図１】本発明の第１の実施形態による多重化装置の全体的構成を示す図で、特に他方の電子機器の異常時における表示動作を組み込んだ説明図である。
【図２】図１の多重化装置の制御系及び光学系（右側のプリズム状ミラー）の構成の一例を示すブロック図である。
【図３】図１の多重化装置全体の概略構成を示す図で、特に一方の電子機器の異常時における表示動作を組み込んだ説明図である。
【図４】図３の多重化装置の制御系及び光学系（左側のプリズム状ミラー）の構成の一例を模式的に示すブロック図である。
【図５】図１に開示した第１の実施形態における多重化装置全体の表示部の概略構成を模式的に示す斜視図である。
【図６】図１に開示した第１の実施形態おける多重化装置全体の動作手順の一例を示すフローチャートである。
【図７】図６に開示したフローチャートの一部で第１の電子機器の第１機器制御部の動作を示すフローチャートである。
【図８】図６に開示したフローチャートの一部で第２の電子機器の第２機器制御部の動作を示すフローチャートである。
【図９】本発明の第２の実施形態による多重化装置における表示部の概略構成の一例を示す説明図である。
【図１０】図９に示す多重化装置における第２の電子機器（ＯＢＪＥＣＴ  Ｂ）の制御系の構成の一例を示すブロック図である。
【図１１】図９に示す多重化装置における第１の電子機器（ＯＢＪＥＣＴ  Ａ）の制御系の構成の一例を示すブロック図である。
【図１２】本発明の第３の実施形態における多重化装置全体の概略構成の一例を模式的に示す斜視図である。
【図１３】本発明の第４の実施形態における多重化装置全体の概略構成の一例を模式的に示す斜視図である。
【図１４】図１３に示す実施形態のよる多重化装置全体の動作手順の一例を示すフローチャートである。
【図１５】図１４に開示したフローチャートの一部で、第１の電子機器の第１機器制御部の動作を示すフローチャートである。
【図１６】図１４に開示したフローチャートの一部で、第２の電子機器の第２機器制御部の動作を示すフローチャートである。
【図１７】本発明の第５の実施形態における多重化装置全体の概略構成の一例を模式的に示す斜視図である。
【図１８】図１７に示す第５の実施形態のよる多重化装置全体の動作手順の一例を示すフローチャートである。
【図１９】図１８に開示したフローチャートの一部で、第１の電子機器の第１機器制御部の動作を示すフローチャートである。
【図２０】図１８に開示したフローチャートの一部で、第２の電子機器の第２機器制御部の動作を示すフローチャートである。
【図２１】本発明の第６の実施形態における多重化装置全体の概略構成の一例を模式的に示す斜視図である。
【図２２】本発明の第７の実施形態における多重化装置全体の概略構成の一例を模式的に示す斜視図である。
【図２３】図２２に示す第７の実施形態における多重化装置で保守時の不都合を示す説明図である。
【図２４】図２２に示す第７の実施形態における多重化装置の制御ブロック図および同図右側に位置する二個の表示部にかかる右側プリズム状ミラーの反射手順を示す説明図である。
【図２５】図２２に示す第７の実施形態における多重化装置の制御ブロック図および同図左側に位置する二個の表示部にかかる左側プリズム状ミラーの反射手順を示す説明図である。
【図２６】本発明の第８の実施形態における多重化装置の全体の概略構成の一例を模式的に示す正面図である。
【図２７】図２６に示す第８の実施形態における多重化装置で保守時の不都合を示す説明図である。
【図２８】本発明の第９の実施形態における多重化装置の全体の概略構成の一例（二重化横実装）を模式的に示す正面図である。
【図２９】図２８に開示した第９の実施形態における多重化装置の各電子機器が有する左右各二個の表示部にかかる駆動制御ブロック図である。
【符号の説明】
【０２１１】
１，１００，２００，３００，４００，５００，６００，７００，８００，９００・・・・・・多重化装置
１０，１１０，２１０，３１０，４１０，５１０，６１０，７１０，８１０，９１０・・・・第１の電子機器
１１Ａ，２１Ａ，１１１Ａ，６１１Ａ，８１１Ａ・・・・・第１機器制御部
１１Ｂ，２１Ｂ，１１１Ｂ，６１１Ｂ，８１１Ｂ・・・・・第２機器用監視部
１２，１１２，２１２，３１２，４１２，５１２，６１２，６１３，８１２，８１３・・・・・・第２機器用異常表示灯（一方の第２機器用表示発光源）
２０，１２０，２２０，３２０，４２０，５２０，６２０，７２０，８２０，９２０・・・・・・第２の電子機器
２１Ａ，２２Ａ，１２１Ａ，６２１Ａ，８２１Ａ・・・・・第２機器制御部
２１Ｂ，２２Ｂ，１２１Ｂ，６２１Ｂ，８２１Ｂ・・・・・第１機器用監視部
２２，１２２，２２２，３２２，４２２，５２２，６２２，６２３，８２２，８２３・・・・・・第１機器用異常表示灯（一方の第１機器用表示発光源）
５２，３５２，６６４，８５２・・・・・第２機器用光伝達部
５３，２５３，３５３，４５３，５５３，６５５，６６５，７５５，７６５・・・・・・・第２機器用表示部
６２，３６２，６５４，８６２・・・・・第１機器用光伝達部
６３，２６３，３６３，４６３，５６３，６５３，６６３，７５３，７６３・・・・・・・・第１機器用表示部
７０，１７０，２７０，３７０，４７０，５７０，６７０，７７０，８７０・・・・・・・・バス部
【図１】
2010009320.tif 000003
【図２】
2010009320.tif 000004
【図３】
2010009320.tif 000005
【図４】
2010009320.tif 000006
【図５】
2010009320.tif 000007
【図６】
2010009320.tif 000008
【図７】
2010009320.tif 000009
【図８】
2010009320.tif 000010
【図９】
2010009320.tif 000011
【図１０】
2010009320.tif 000012
【図１１】
2010009320.tif 000013
【図１２】
2010009320.tif 000014
【図１３】
2010009320.tif 000015
【図１４】
2010009320.tif 000016
【図１５】
2010009320.tif 000017
【図１６】
2010009320.tif 000018
【図１７】
2010009320.tif 000019
【図１８】
2010009320.tif 000020
【図１９】
2010009320.tif 000021
【図２０】
2010009320.tif 000022
【図２１】
2010009320.tif 000023
【図２２】
2010009320.tif 000024
【図２３】
2010009320.tif 000025
【図２４】
2010009320.tif 000026
【図２５】
2010009320.tif 000027
【図２６】
2010009320.tif 000028
【図２７】
2010009320.tif 000029
【図２８】
2010009320.tif 000030
【図２９】
2010009320.tif 000031